(57)【要約】【課題】扇風機を利用して空気に含まれる臭気成分やたばこ臭、ノネナール臭を取り除くことができる脱臭具を提供する【解決手段】脱臭具１０Ａは、連続気泡を有する軟質ポリウレタンフォーム１１から作られ、所定面積の前面１３および後面と、前後面１３間に延びる複数の通気路と、通気路につながって前後面に開口する複数の通気口とを有し、臭気を吸着する活性炭粉末が所定のバインダーによって前後面１３および通気路の壁面に固着され、前面１３全域がフィルタ機能を有する通気性シート２０に包被され、後面全域が複数の網目を有する通気性ネットに包被され、空気を前方に送風する扇風機の羽根に前面１３を対向させた状態で羽根の直後に着脱可能に設置される。【選択図】図１
2015109935.tif 000002
【特許請求の範囲】
【請求項１】
連続気泡を有する軟質ポリウレタンフォームから作られ、所定面積の前面および後面と、前記前後面間に延びる複数の通気路と、前記通気路につながって前記前後面に開口する複数の通気口とを有し、臭気を吸着する活性炭粉末が所定のバインダーによって前記前後面および前記通気路の壁面に固着され、前記前面全域と前記後面全域とのうちのいずれか一方がフィルタ機能を有する通気性シートに包被され、前記前面全域と前記後面全域とのうちのいずれか他方が複数の網目を有する通気性ネットに包被され、空気を前方に送風する送風装置の羽根に前記前面を対向させた状態で該羽根の直後に着脱可能に設置されることを特徴とする脱臭具。
【請求項２】
連続気泡を有する軟質ポリウレタンフォームから作られ、所定面積の前面および後面と、前記前後面間に延びる複数の通気路と、前記通気路につながって前記前後面に開口する複数の通気口とを有し、臭気を吸着する活性炭粉末が所定のバインダーによって前記前後面および前記通気路の壁面に固着され、前記前面全域と前記後面全域とがフィルタ機能を有する通気性シートに包被され、空気を前方に送風する送風装置の羽根に前記前面を対向させた状態で該羽根の直後に着脱可能に設置されることを特徴とする脱臭具。
【請求項３】
臭気を吸着する活性炭粉末を混入したポリエーテル系フォーム原料または該活性炭粉末を混入したポリエステル系フォーム原料を発泡させた連続気泡を有する軟質ポリウレタンフォームから作られ、所定面積の前面および後面と、前記前後面間に延びる複数の通気路と、前記通気路につながって前記前後面に開口する複数の通気口とを有し、前記前面全域と前記後面全域とのうちのいずれか一方がフィルタ機能を有する通気性シートに包被され、前記前面全域と前記後面全域とのうちのいずれか他方が複数の網目を有する通気性ネットに包被され、空気を前方に送風する送風装置の羽根に前記前面を対向させた状態で該羽根の直後に着脱可能に設置されることを特徴とする脱臭具。
【請求項４】
臭気を吸着する活性炭粉末を混入したポリエーテル系フォーム原料または該活性炭粉末を混入したポリエステル系フォーム原料を発泡させた連続気泡を有する軟質ポリウレタンフォームから作られ、所定面積の前面および後面と、前記前後面間に延びる複数の通気路と、前記通気路につながって前記前後面に開口する複数の通気口とを有し、前記前面全域と前記後面全域とがフィルタ機能を有する通気性シートに包被され、空気を前方に送風する送風装置の羽根に前記前面を対向させた状態で該羽根の直後に着脱可能に設置されることを特徴とする脱臭具。
【請求項５】
前記送風装置が、扇風機であり、前記脱臭具が、内周縁部および外周縁部と、前記内周縁部に囲繞された中央開口とを有するとともに、前記中央開口が前記扇風機のモーターケースから前方へ延びる螺子パイプに挿脱可能に挿入され、前記扇風機の羽根の後方に取り付けられた後ガードの内周部と前記後ガードを前記モーターケースに固定するガード締付ナットとに挟まれた状態で該扇風機に着脱可能に取り付けられる請求項１ないし請求項４に記載の脱臭具。
【請求項６】
前記脱臭具では、それが前記扇風機に取り付けられたときに、前記脱臭具の外周縁部が前記扇風機の羽根の径方向の寸法を二分する二分線近傍に位置する請求項５に記載の脱臭具。
【請求項７】
前記脱臭具では、それが前記扇風機に取り付けられたときに、前記脱臭具の外周縁部が前記扇風機の羽根の径方向先端部と該羽根の径方向の寸法を二分する二分線との間の部位の略径方向中央に位置する請求項５に記載の脱臭具。
【請求項８】
前記脱臭具では、それが前記扇風機に取り付けられたときに、前記脱臭具の外周縁部が前記扇風機の羽根の径方向先端部の近傍に位置する請求項５に記載の脱臭具。
【請求項９】
それら通気路が、前記壁面に囲繞されて前記軟質ポリウレタンフォームの内部に画成され、前記前面と前記後面との間で前記ポリウレタンフォームの厚み方向へ不規則に曲折しながら延びているとともに、前記内周縁部と前記外周縁部との間で前記ポリウレタンフォームの径方向へ不規則に曲折しながら延びている請求項１ないし請求項８いずれかに記載の脱臭具。
【請求項１０】
前記径方向へ隣接して前記厚み方向へ曲折して延びるそれら通気路が、前記径方向において部分的に繋がり、前記厚み方向へ隣接して前記径方向へ曲折して延びるそれら通気路が、前記厚み向において部分的に繋がっている請求項９に記載の脱臭具。
【請求項１１】
それら通気路の開口面積が、前記厚み方向に向かって不規則に変化しているとともに、前記径方向に向かって不規則に変化し、それら通気口の面積が、相違している請求項９または請求項１０に記載の脱臭具。
【請求項１２】
前記脱臭具の径方向の寸法を二分する二分線と前記内周縁部との間に延びる内側領域または前記二分線と前記外周縁部との間に延びる外側領域のいずれかには、臭いを酸化分解する脱臭触媒が塗布されている請求項１ないし請求項１１いずれかに記載の脱臭具。
【請求項１３】
前記脱臭具が、前記軟質ポリウレタンフォームを支持する支持フレームを備え、前記支持フレームが、前記内周縁部を支持する内周枠と、前記外周縁部を支持する外周枠と、前記内周枠と前記外周枠とに繋がって径方向へ延びる連結枠とを有し、前記脱臭具では、前記内周枠が前記後ガードの内周部と前記ガード締付ナットとに挟まれた状態で前記扇風機に着脱可能に取り付けられる請求項５ないし請求項１２いずれかに記載の脱臭具。
【請求項１４】
前記支持フレームが、前記前面と前記後面とのうちのいずれか一方の面であって前記通気性シートまたは前記通気性ネットの外側に位置し、前記外周枠が、前記外周縁部を前記前面と前記後面とのうちのいずれか一方の面から他方の面に向かって包み込むように延びている請求項１３に記載の脱臭具。
【請求項１５】
前記支持フレームが、前記前面と前記後面とのうちのいずれか一方の面であって前記通気性シートまたは前記通気性ネットの外側に位置し、前記外周枠が、前記外周縁部を前記前面と前記後面とのうちのいずれか一方の面から他方の面に向かって包み込むように延びているとともに、前記内周枠が、前記内周縁部を前記前面と前記後面とのうちのいずれか一方の面から他方の面に向かって包み込むように延びている請求項１３に記載の脱臭具。
【請求項１６】
前記支持フレームが、前記前面と前記後面とのうちのいずれか一方の面に位置し、前記一方の面と前記通気性シートまたは前記通気性ネットとの間に介在している請求項１３に記載の脱臭具。
【請求項１７】
前記支持フレームが、前記前面の側に位置する第１支持フレームと、前記後面の側に位置する第２支持フレームとから形成され、前記第１支持フレームが、前記前面と前記通気性シートとの間に介在し、前記第２支持フレームが、前記後面と前記通気性シートまたは前記通気性ネットとの間に介在している請求項１３に記載の脱臭具。
【請求項１８】
前記支持フレームが、前記前面の側に位置する第１支持フレームと、前記後面の側に位置する第２支持フレームとから形成され、前記第１支持フレームの内周枠が、前記内周縁部において前記前面から前記後面に向かって折れ曲がっているとともに、前記第１支持フレームの外周枠が、前記外周縁部において前記前面から前記後面に向かって折れ曲がり、前記第２支持フレームの内周枠が、前記内周縁部において前記後面から前記前面に向かって折れ曲がっているとともに、前記第２支持フレームの外周枠が、前記外周縁部において前記後面から前記前面に向かって折れ曲がっている請求項１３に記載の脱臭具。
【請求項１９】
前記軟質ポリウレタンフォームの厚み寸法が、３〜１０ｍｍの範囲にある請求項１ないし請求項１８に記載の脱臭具。
【請求項２０】
前記軟質ポリウレタンフォームの質量が、３０〜６０ｇの範囲にある請求項１ないし請求項１９に記載の脱臭具。
【請求項２１】
前記軟質ポリウレタンフォームの面速が、２０〜４０ｃｍ／ｓｅｃの範囲にある請求項１ないし請求項２０に記載の脱臭具。
【請求項２２】
前記通気性シートが、粗塵用フィルタ、中高性能フィルタ、ＨＥＰＡフィルタ、ＵＬＰＡフィルタのうちのいずれかである請求項１ないし請求項２１に記載の脱臭具。
【請求項２３】
前記通気性シートが、エレクトレット化されている請求項１ないし請求項２２に記載の脱臭具。
【請求項２４】
空気に含まれる臭気を除去する脱臭具が着脱可能に取り付けられた扇風機において、
前記脱臭具が、連続気泡を有する軟質ポリウレタンフォームから作られ、所定面積の前面および後面と、内周縁部および外周縁部と、前記内周縁部に囲繞された中央開口と、前記前後面間に延びる複数の通気路と、前記通気路につながって前記前後面に開口する複数の通気口とを有し、臭気を吸着する活性炭粉末が、所定のバインダーによって前記前後面および前記通気路の壁面に固着され、前記前面全域と前記後面全域とのうちのいずれか一方が、フィルタ機能を有する通気性シートに包被され、前記前面全域と前記後面全域とのうちのいずれか他方が、複数の網目を有する通気性ネットに包被され、
前記扇風機では、前記脱臭具の中央開口が前記扇風機のモーターケースから前方へ延びる螺子パイプに挿脱可能に挿入され、前記脱臭具の内周縁部が前記扇風機の羽根の後方に取り付けられた後ガードの内周部と前記後ガードを前記モーターケースに固定するガード締付ナットとに挟まれた状態で該扇風機に固定されていることを特徴とする扇風機。
【請求項２５】
空気に含まれる臭気を除去する脱臭具が着脱可能に取り付けられた扇風機において、
前記脱臭具が、連続気泡を有する軟質ポリウレタンフォームから作られ、所定面積の前面および後面と、内周縁部および外周縁部と、前記内周縁部に囲繞された中央開口と、前記前後面間に延びる複数の通気路と、前記通気路につながって前記前後面に開口する複数の通気口とを有し、臭気を吸着する活性炭粉末が、所定のバインダーによって前記前後面および前記通気路の壁面に固着され、前記前面全域と前記後面全域とが、フィルタ機能を有する通気性シートに包被され、
前記扇風機では、前記脱臭具の中央開口が前記扇風機のモーターケースから前方へ延びる螺子パイプに挿脱可能に挿入され、前記脱臭具の内周縁部が前記扇風機の羽根の後方に取り付けられた後ガードの内周部と前記後ガードを前記モーターケースに固定するガード締付ナットとに挟まれた状態で該扇風機に固定されていることを特徴とする扇風機。
【請求項２６】
空気に含まれる臭気を除去する脱臭具が着脱可能に取り付けられた扇風機において、
前記脱臭具が、臭気を吸着する活性炭粉末を混入したポリエーテル系フォーム原料または該活性炭粉末を混入したポリエステル系フォーム原料を発泡させた連続気泡を有する軟質ポリウレタンフォームから作られ、所定面積の前面および後面と、内周縁部および外周縁部と、前記内周縁部に囲繞された中央開口と、前記前後面間に延びる複数の通気路と、前記通気路につながって前記前後面に開口する複数の通気口とを有し、前記前面全域と前記後面全域とのうちのいずれか一方が、フィルタ機能を有する通気性シートに包被され、前記前面全域と前記後面全域とのうちのいずれか他方が、複数の網目を有する通気性ネットに包被され、
前記扇風機では、前記脱臭具の中央開口が前記扇風機のモーターケースから前方へ延びる螺子パイプに挿脱可能に挿入され、前記脱臭具の内周縁部が前記扇風機の羽根の後方に取り付けられた後ガードの内周部と前記後ガードを前記モーターケースに固定するガード締付ナットとに挟まれた状態で該扇風機に固定されていることを特徴とする扇風機。
【請求項２７】
空気に含まれる臭気を除去する脱臭具が着脱可能に取り付けられた扇風機において、
前記脱臭具が、臭気を吸着する活性炭粉末を混入したポリエーテル系フォーム原料または該活性炭粉末を混入したポリエステル系フォーム原料を発泡させた連続気泡を有する軟質ポリウレタンフォームから作られ、所定面積の前面および後面と、内周縁部および外周縁部と、前記内周縁部に囲繞された中央開口と、前記前後面間に延びる複数の通気路と、前記通気路につながって前記前後面に開口する複数の通気口とを有し、前記前面全域と前記後面全域とが、フィルタ機能を有する通気性シートに包被され、
前記扇風機では、前記脱臭具の中央開口が前記扇風機のモーターケースから前方へ延びる螺子パイプに挿脱可能に挿入され、前記脱臭具の内周縁部が前記扇風機の羽根の後方に取り付けられた後ガードの内周部と前記後ガードを前記モーターケースに固定するガード締付ナットとに挟まれた状態で該扇風機に固定されていることを特徴とする扇風機。
【請求項２８】
それら通気路が、前記壁面に囲繞されて前記軟質ポリウレタンフォームの内部に画成され、前記前面と前記後面との間で前記ポリウレタンフォームの厚み方向へ不規則に曲折しながら延びているとともに、前記内周縁部と前記外周縁部との間で前記ポリウレタンフォームの径方向へ不規則に曲折しながら延びている請求項２４ないし請求項２７いずれかに記載の扇風機。
【請求項２９】
前記径方向へ隣接して前記厚み方向へ曲折して延びるそれら通気路が、前記径方向において部分的に繋がり、前記厚み方向へ隣接して前記径方向へ曲折して延びるそれら通気路が、前記厚み向において部分的に繋がっている請求項２８に記載の扇風機。
【請求項３０】
それら通気路の開口面積が、前記厚み方向に向かって不規則に変化しているとともに、前記径方向に向かって不規則に変化し、それら通気口の面積が、相違している請求項２８または請求項２９に記載の扇風機。
【請求項３１】
前記脱臭具が、前記軟質ポリウレタンフォームを支持する支持フレームを備え、前記支持フレームが、前記内周縁部を支持する内周枠と、前記外周縁部を支持する外周枠と、前記内周枠と前記外周枠とに繋がって径方向へ延びる連結枠とを有し、前記扇風機では、前記支持フレームの内周枠が前記後ガードの内周部と前記ガード締付ナットとに挟まれた状態で前記扇風機に着脱可能に取り付けられる請求項２４ないし請求項３０いずれかに記載の扇風機。
【発明の詳細な説明】
【技術分野】
【０００１】
本発明は、臭気を取り除く脱臭具および脱臭具が取り付けられた扇風機に関する。
【背景技術】
【０００２】
扇風機の回転羽根をガードする後ガードの背面を外方から被覆可能な環状のフィルタ材と、そのフィルタ材を展開状態で保持する環状の枠形状を有したフレームと、そのフレームを羽根ガードに係止する係止部材とを備え、フィルタ材が周方向に向かって複数の部分フィルタ材に分割され、フレームが周方向に向かって複数の部分フレームに分割された扇風機用フィルタが開示されている（特許文献１参照）。この扇風機用フィルタは、扇風機に容易に着脱することができ、フィルタのうちの破損した部分フィルタ材や汚れた部分フィルタ材のみを交換することができる。
【先行技術文献】
【特許文献】
【０００３】
【特許文献１】特開２００５−２４０６９７号公報
【発明の概要】
【発明が解決しようとする課題】
【０００４】
前記特許文献１に開示の扇風機用フィルタは、扇風機を通過する空気に含まれる塵埃を取り除くことはできるが、空気に含まれる臭気成分やたばこ臭、ノネナール臭を取り除くことはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。
【０００５】
本発明の目的は、送風装置を利用して空気に含まれる臭気成分やたばこ臭、ノネナール臭を取り除くことができ、送風装置による送風と同時に清浄な空気を送気することができる脱臭具を提供することにある。本発明の他の目的は、空気に含まれる臭気成分やたばこ臭、ノネナール臭を取り除くことができる脱臭具が取り付けられた扇風機を提供することにある。
【課題を解決するための手段】
【０００６】
前記課題を解決するための本発明にかかる脱臭具の第１の特徴は、連続気泡を有する軟質ポリウレタンフォームから作られ、所定面積の前面および後面と、前後面間に延びる複数の通気路と、通気路につながって前後面に開口する複数の通気口とを有し、臭気を吸着する活性炭粉末が所定のバインダーによって前後面および通気路の壁面に固着され、前面全域と後面全域とのうちのいずれか一方がフィルタ機能を有する通気性シートに包被され、前面全域と後面全域とのうちのいずれか他方が複数の網目を有する通気性ネットに包被され、空気を前方に送風する送風装置の羽根に前面を対向させた状態で羽根の直後に着脱可能に設置されることにある。
【０００７】
前記課題を解決するための本発明にかかる脱臭具の第２の特徴は、連続気泡を有する軟質ポリウレタンフォームから作られ、所定面積の前面および後面と、前後面間に延びる複数の通気路と、通気路につながって前後面に開口する複数の通気口とを有し、臭気を吸着する活性炭粉末が所定のバインダーによって前後面および通気路の壁面に固着され、前面全域と後面全域とがフィルタ機能を有する通気性シートに包被され、空気を前方に送風する送風装置の羽根に前面を対向させた状態で羽根の直後に着脱可能に設置されることにある。
【０００８】
前記課題を解決するための本発明にかかる脱臭具の第３の特徴は、臭気を吸着する活性炭粉末を混入したポリエーテル系フォーム原料または活性炭粉末を混入したポリエステル系フォーム原料を発泡させた連続気泡を有する軟質ポリウレタンフォームから作られ、所定面積の前面および後面と、前後面間に延びる複数の通気路と、通気路につながって前後面に開口する複数の通気口とを有し、前面全域と後面全域とのうちのいずれか一方がフィルタ機能を有する通気性シートに包被され、前面全域と後面全域とのうちのいずれか他方が複数の網目を有する通気性ネットに包被され、空気を前方に送風する送風装置の羽根に前面を対向させた状態で羽根の直後に着脱可能に設置されることにある。
【０００９】
前記課題を解決するための本発明にかかる脱臭具の第４の特徴は、臭気を吸着する活性炭粉末を混入したポリエーテル系フォーム原料または活性炭粉末を混入したポリエステル系フォーム原料を発泡させた連続気泡を有する軟質ポリウレタンフォームから作られ、所定面積の前面および後面と、前後面間に延びる複数の通気路と、通気路につながって前後面に開口する複数の通気口とを有し、前面全域と後面全域とがフィルタ機能を有する通気性シートに包被され、空気を前方に送風する送風装置の羽根に前面を対向させた状態で羽根の直後に着脱可能に設置されることにある。
【００１０】
前記第１〜第４の特徴を有する脱臭具の一例としては、送風装置が扇風機であり、脱臭具が、内周縁部および外周縁部と、内周縁部に囲繞された中央開口とを有するとともに、中央開口が扇風機のモーターケースから前方へ延びる螺子パイプに挿脱可能に挿入され、扇風機の羽根の後方に取り付けられた後ガードの内周部と後ガードをモーターケースに固定するガード締付ナットとに挟まれた状態で扇風機に着脱可能に取り付けられる。
【００１１】
前記第１〜第４の特徴を有する脱臭具の他の一例として、脱臭具では、それが扇風機に取り付けられたときに、脱臭具の外周縁部が扇風機の羽根の径方向の寸法を二分する二分線近傍に位置する。
【００１２】
前記第１〜第４の特徴を有する脱臭具の他の一例として、脱臭具では、それが扇風機に取り付けられたときに、脱臭具の外周縁部が扇風機の羽根の径方向先端部と羽根の径方向の寸法を二分する二分線との間の部位の略径方向中央に位置する。
【００１３】
前記第１〜第４の特徴を有する脱臭具の他の一例として、脱臭具では、それが扇風機に取り付けられたときに、脱臭具の外周縁部が扇風機の羽根の径方向先端部の近傍に位置する。
【００１４】
前記第１〜第４の特徴を有する脱臭具の他の一例としては、それら通気路が、壁面に囲繞されて軟質ポリウレタンフォームの内部に画成され、前面と後面との間でポリウレタンフォームの厚み方向へ不規則に曲折しながら延びているとともに、内周縁部と外周縁部との間でポリウレタンフォームの径方向へ不規則に曲折しながら延びている。
【００１５】
前記第１〜第４の特徴を有する脱臭具の他の一例としては、径方向へ隣接して厚み方向へ曲折して延びるそれら通気路が径方向において部分的に繋がり、厚み方向へ隣接して径方向へ曲折して延びるそれら通気路が厚み向において部分的に繋がっている。
【００１６】
前記第１〜第４の特徴を有する脱臭具の他の一例としては、それら通気路の開口面積が厚み方向に向かって不規則に変化しているとともに径方向に向かって不規則に変化し、それら通気口の面積が相違している。
【００１７】
前記第１〜第４の特徴を有する脱臭具の他の一例として、脱臭具の径方向の寸法を二分する二分線と内周縁部との間に延びる内側領域または二分線と外周縁部との間に延びる外側領域のいずれかには、臭いを酸化分解する脱臭触媒が塗布されている。
【００１８】
前記第１〜第４の特徴を有する脱臭具の他の一例としては、脱臭具が軟質ポリウレタンフォームを支持する支持フレームを備え、支持フレームが、内周縁部を支持する内周枠と、外周縁部を支持する外周枠と、内周枠と外周枠とに繋がって径方向へ延びる連結枠とを有し、脱臭具では、内周枠が後ガードの内周部とガード締付ナットとに挟まれた状態で扇風機に着脱可能に取り付けられる。
【００１９】
前記第１〜第４の特徴を有する脱臭具の他の一例としては、支持フレームが前面と後面とのうちのいずれか一方の面であって通気性シートまたは通気性ネットの外側に位置し、外周枠が外周縁部を前面と後面とのうちのいずれか一方の面から他方の面に向かって包み込むように延びている。
【００２０】
前記第１〜第４の特徴を有する脱臭具の他の一例としては、支持フレームが前面と後面とのうちのいずれか一方の面であって通気性シートまたは通気性ネットの外側に位置し、外周枠が外周縁部を前面と後面とのうちのいずれか一方の面から他方の面に向かって包み込むように延びているとともに、内周枠が内周縁部を前面と後面とのうちのいずれか一方の面から他方の面に向かって包み込むように延びている。
【００２１】
前記第１〜第４の特徴を有する脱臭具の他の一例としては、支持フレームが前面と後面とのうちのいずれか一方の面に位置し、一方の面と通気性シートまたは通気性ネットとの間に介在している。
【００２２】
前記第１〜第４の特徴を有する脱臭具の他の一例としては、支持フレームが、前面の側に位置する第１支持フレームと、後面の側に位置する第２支持フレームとから形成され、第１支持フレームが前面と通気性シートとの間に介在し、第２支持フレームが後面と通気性シートまたは通気性ネットとの間に介在している。
【００２３】
前記第１〜第４の特徴を有する脱臭具の他の一例としては、支持フレームが、前面の側に位置する第１支持フレームと、後面の側に位置する第２支持フレームとから形成され、第１支持フレームの内周枠が内周縁部において前面から後面に向かって折れ曲がっているとともに、第１支持フレームの外周枠が外周縁部において前面から後面に向かって折れ曲がり、第２支持フレームの内周枠が内周縁部において後面から前面に向かって折れ曲がっているとともに、第２支持フレームの外周枠が外周縁部において後面から前面に向かって折れ曲がっている。
【００２４】
前記第１〜第４の特徴を有する脱臭具の他の一例としては、軟質ポリウレタンフォームの厚み寸法が３〜１０ｍｍの範囲にある。
【００２５】
前記第１〜第４の特徴を有する脱臭具の他の一例としては、軟質ポリウレタンフォームの質量が３０〜６０ｇの範囲にある。
【００２６】
前記第１〜第４の特徴を有する脱臭具の他の一例としては、軟質ポリウレタンフォームの面速が２０〜４０ｃｍ／ｓｅｃの範囲にある。
【００２７】
前記第１〜第４の特徴を有する脱臭具の他の一例としては、通気性シートが粗塵用フィルタ、中高性能フィルタ、ＨＥＰＡフィルタ、ＵＬＰＡフィルタのうちのいずれかである。
【００２８】
前記第１〜第４の特徴を有する脱臭具の他の一例としては、通気性シートがエレクトレット化されている。
【００２９】
前記課題を解決するための本発明にかかる脱臭具が取り付けられた扇風機の第１の特徴は、脱臭具が、連続気泡を有する軟質ポリウレタンフォームから作られ、所定面積の前面および後面と、内周縁部および外周縁部と、内周縁部に囲繞された中央開口と、前後面間に延びる複数の通気路と、通気路につながって前後面に開口する複数の通気口とを有し、臭気を吸着する活性炭粉末が、所定のバインダーによって前後面および通気路の壁面に固着され、前面全域と後面全域とのうちのいずれか一方が、フィルタ機能を有する通気性シートに包被され、前面全域と後面全域とのうちのいずれか他方が、複数の網目を有する通気性ネットに包被され、扇風機では、脱臭具の中央開口が扇風機のモーターケースから前方へ延びる螺子パイプに挿脱可能に挿入され、脱臭具の内周縁部が扇風機の羽根の後方に取り付けられた後ガードの内周部と後ガードをモーターケースに固定するガード締付ナットとに挟まれた状態で扇風機に固定されていることにある。
【００３０】
前記課題を解決するための本発明にかかる脱臭具が取り付けられた扇風機の第２の特徴は、脱臭具が、連続気泡を有する軟質ポリウレタンフォームから作られ、所定面積の前面および後面と、内周縁部および外周縁部と、内周縁部に囲繞された中央開口と、前後面間に延びる複数の通気路と、通気路につながって前後面に開口する複数の通気口とを有し、臭気を吸着する活性炭粉末が、所定のバインダーによって前後面および通気路の壁面に固着され、前面全域と後面全域とが、フィルタ機能を有する通気性シートに包被され、扇風機では、脱臭具の中央開口が扇風機のモーターケースから前方へ延びる螺子パイプに挿脱可能に挿入され、脱臭具の内周縁部が扇風機の羽根の後方に取り付けられた後ガードの内周部と後ガードをモーターケースに固定するガード締付ナットとに挟まれた状態で扇風機に固定されていることにある。
【００３１】
前記課題を解決するための本発明にかかる脱臭具が取り付けられた扇風機の第３の特徴は、脱臭具が、臭気を吸着する活性炭粉末を混入したポリエーテル系フォーム原料または活性炭粉末を混入したポリエステル系フォーム原料を発泡させた連続気泡を有する軟質ポリウレタンフォームから作られ、所定面積の前面および後面と、内周縁部および外周縁部と、内周縁部に囲繞された中央開口と、前後面間に延びる複数の通気路と、通気路につながって前後面に開口する複数の通気口とを有し、前面全域と後面全域とのうちのいずれか一方が、フィルタ機能を有する通気性シートに包被され、前面全域と後面全域とのうちのいずれか他方が、複数の網目を有する通気性ネットに包被され、扇風機では、脱臭具の中央開口が扇風機のモーターケースから前方へ延びる螺子パイプに挿脱可能に挿入され、脱臭具の内周縁部が扇風機の羽根の後方に取り付けられた後ガードの内周部と後ガードをモーターケースに固定するガード締付ナットとに挟まれた状態で扇風機に固定されていることにある。
【００３２】
前記課題を解決するための本発明にかかる脱臭具が取り付けられた扇風機の第４の特徴は、脱臭具が、臭気を吸着する活性炭粉末を混入したポリエーテル系フォーム原料または活性炭粉末を混入したポリエステル系フォーム原料を発泡させた連続気泡を有する軟質ポリウレタンフォームから作られ、所定面積の前面および後面と、内周縁部および外周縁部と、内周縁部に囲繞された中央開口と、前後面間に延びる複数の通気路と、通気路につながって前後面に開口する複数の通気口とを有し、前面全域と後面全域とが、フィルタ機能を有する通気性シートに包被され、扇風機では、脱臭具の中央開口が扇風機のモーターケースから前方へ延びる螺子パイプに挿脱可能に挿入され、脱臭具の内周縁部が扇風機の羽根の後方に取り付けられた後ガードの内周部と後ガードをモーターケースに固定するガード締付ナットとに挟まれた状態で扇風機に固定されていることにある。
【００３３】
前記第１〜第４の特徴を有する扇風機の一例としては、それら通気路が、壁面に囲繞されて軟質ポリウレタンフォームの内部に画成され、前面と後面との間でポリウレタンフォームの厚み方向へ不規則に曲折しながら延びているとともに、内周縁部と外周縁部との間でポリウレタンフォームの径方向へ不規則に曲折しながら延びている。
【００３４】
前記第１〜第４の特徴を有する扇風機の他の一例としては、径方向へ隣接して厚み方向へ曲折して延びるそれら通気路が径方向において部分的に繋がり、厚み方向へ隣接して径方向へ曲折して延びるそれら通気路が厚み向において部分的に繋がっている。
【００３５】
前記第１〜第４の特徴を有する扇風機の他の一例としては、それら通気路の開口面積が厚み方向に向かって不規則に変化しているとともに径方向に向かって不規則に変化し、それら通気口の面積が相違している。
【００３６】
前記第１〜第４の特徴を有する扇風機の他の一例としては、脱臭具が軟質ポリウレタンフォームを支持する支持フレームを含み、支持フレームが、内周縁部を支持する内周枠と、外周縁部を支持する外周枠と、内周枠と外周枠とに繋がって径方向へ延びる連結枠とを有し、扇風機では、支持フレームの内周枠が後ガードの内周部とガード締付ナットとに挟まれた状態で扇風機に着脱可能に取り付けられる。
【発明の効果】
【００３７】
前記第１の特徴を有する脱臭具によれば、それが連続気泡を有する軟質ポリウレタンフォームから作られているとともに、空気に含まれる臭気成分を吸着する活性炭粉末が壁面に固着され、送風装置に進入した空気が脱臭具の通気路を通過するときに壁面に固着された活性炭粉末に接触するから、空気に含まれる臭気成分やたばこ臭、ノネナール臭を活性炭粉末に吸着させることができ、送風装置を通過する空気に含まれる臭気成分やたばこ臭、ノネナール臭を確実に取り除くことができる。脱臭具は、空気に含まれる臭気成分やたばこ臭、ノネナール臭が活性炭粉末によって除去されるから、それら臭いを除去した清浄な空気を作ることができ、送風装置による送風と同時に無臭かつ清浄な空気を送風装置から送気することができる。脱臭具は、前面全域と後面全域とのうちのいずれか一方がフィルタ機能を有する通気性シートに包被されているから、送風装置に進入した空気に含まれる微細な塵埃や花粉、PM2.5等の不純物をシートによって除去することができ、それら不純物を除去した空気を作ることができるとともに、送風装置による送風と同時に不純物を除去した空気を送風装置から送気することができる。また、塵埃や花粉、PM2.5等の不純物が通気性シートに捕集されることで、それら不純物の送風装置による拡散を防ぐことができる。
【００３８】
前記第２の特徴を有する脱臭具によれば、それが連続気泡を有する軟質ポリウレタンフォームから作られているとともに、空気に含まれる臭気成分を吸着する活性炭粉末が壁面に固着され、送風装置に進入した空気が脱臭具の通気路を通過するときに壁面に固着された活性炭粉末に接触するから、空気に含まれる臭気成分やたばこ臭、ノネナール臭を活性炭粉末に吸着させることができ、送風装置を通過する空気に含まれる臭気成分やたばこ臭、ノネナール臭を確実に取り除くことができる。脱臭具は、空気に含まれる臭気成分やたばこ臭、ノネナール臭が活性炭粉末によって除去されるから、それら臭いを除去した清浄な空気を作ることができ、送風装置による送風と同時に無臭かつ清浄な空気を送風装置から送気することができる。脱臭具は、その前面全域と後面全域とがフィルタ機能を有する通気性シートに包被されているから、送風装置に進入した空気に含まれる微細な塵埃や花粉、PM2.5等の不純物をそれらシートによって除去することができ、それら不純物を除去した空気を作ることができるとともに、送風装置による送風と同時に不純物を除去した空気を送風装置から送気することができる。また、塵埃や花粉、PM2.5等の不純物が通気性シートに捕集されることで、それら不純物の送風装置による拡散を防ぐことができる。
【００３９】
前記第３の特徴を有する脱臭具によれば、それが臭気を吸着する活性炭粉末を混入したポリエーテル系フォーム原料または該活性炭粉末を混入したポリエステル系フォーム原料を発泡させた連続気泡を有する軟質ポリウレタンフォームから作られ、送風装置に進入した空気が脱臭具の通気路を通過するときに壁面に露出する活性炭粉末に接触するから、空気に含まれる臭気成分やたばこ臭、ノネナール臭を活性炭粉末に吸着させることができ、送風装置を通過する空気に含まれる臭気成分やたばこ臭、ノネナール臭を確実に取り除くことができる。脱臭具は、空気に含まれる臭気成分やたばこ臭、ノネナール臭が活性炭粉末によって除去されるから、それら臭いを除去した清浄な空気を作ることができ、送風装置による送風と同時に無臭かつ清浄な空気を送風装置から送気することができる。脱臭具は、前面全域と後面全域とのうちのいずれか一方がフィルタ機能を有する通気性シートに包被されているから、送風装置に進入した空気に含まれる微細な塵埃や花粉、PM2.5等の不純物をシートによって除去することができ、それら不純物を除去した空気を作ることができるとともに、送風装置による送風と同時に不純物を除去した空気を送風装置から送気することができる。また、塵埃や花粉、PM2.5等の不純物が通気性シートに捕集されることで、それら不純物の送風装置による拡散を防ぐことができる。
【００４０】
前記第４の特徴を有する脱臭具によれば、それが臭気を吸着する活性炭粉末を混入したポリエーテル系フォーム原料または該活性炭粉末を混入したポリエステル系フォーム原料を発泡させた連続気泡を有する軟質ポリウレタンフォームから作られ、送風装置に進入した空気が脱臭具の通気路を通過するときに壁面に露出する活性炭粉末に接触するから、空気に含まれる臭気成分やたばこ臭、ノネナール臭を活性炭粉末に吸着させることができ、送風装置を通過する空気に含まれる臭気成分やたばこ臭、ノネナール臭を確実に取り除くことができる。脱臭具は、空気に含まれる臭気成分やたばこ臭、ノネナール臭が活性炭粉末によって除去されるから、それら臭いを除去した清浄な空気を作ることができ、送風装置による送風と同時に無臭かつ清浄な空気を送風装置から送気することができる。脱臭具は、その前面全域と後面全域とがフィルタ機能を有する通気性シートに包被されているから、送風装置に進入した空気に含まれる微細な塵埃や花粉、PM2.5等の不純物をそれらシートによって除去することができ、それら不純物を除去した空気を作ることができるとともに、送風装置による送風と同時に不純物を除去した空気を送風装置から送気することができる。また、塵埃や花粉、PM2.5等の不純物が通気性シートに捕集されることで、それら不純物の送風装置による拡散を防ぐことができる。
【００４１】
送風装置が扇風機である脱臭具は、扇風機に進入した空気が脱臭具の通気路を通過するときに活性炭粉末に接触するから、空気に含まれる臭気成分やたばこ臭、ノネナール臭を活性炭粉末に吸着させることができ、扇風機を通過する空気に含まれる臭気成分やたばこ臭、ノネナール臭を確実に取り除くことができる。脱臭具は、空気に含まれる臭気成分やたばこ臭、ノネナール臭が活性炭粉末によって除去されるから、それら臭いを除去した清浄な空気を作ることができ、扇風機による送風と同時に無臭かつ清浄な空気を扇風機から送気することができる。脱臭具は、扇風機の後ガードから羽根に進入する空気の流速が遅く、空気が脱臭具の通気路をゆっくりと通過するから、脱臭具を扇風機の羽根と前ガードとの間に設置する場合と比較し、空気の活性炭粉末に対する接触時間を長くすることができ、空気に含まれる臭いを活性炭粉末に確実に吸着させることができる。脱臭具は、建造物内の空気が扇風機の稼働中に脱臭具の通気路を通流した後、再び扇風機に進入して脱臭具の通気路を通流し、建造物内の空気が脱臭具の通気路を何回も通過するから、空気が脱臭具によって次第に浄化され、扇風機を長時間稼働させることでその脱臭機能を十分に発揮させることができる。
【００４２】
外周縁部が扇風機の羽根の径方向の寸法を二分する二分線近傍に位置する脱臭具は、扇風機の羽根の中心域よりも羽根の外周域において空気の流速が速くなるが、扇風機の羽根の略半分がフィルタの径方向に露出するから、脱臭具が扇風機の羽根に進入する空気の抵抗になることはなく、扇風機の羽根に空気をスムーズに流入させることができ、脱臭具によって臭気成分やたばこ臭、ノネナール臭が除去された清浄な空気を扇風機の前方へ円滑に送風することができる。脱臭具は、扇風機の羽根の略半分に流入する空気を脱臭具の通気路に通流させることができるとともに、扇風機から送風される空気の略すべてを浄化することができ、脱臭具によって臭気成分やたばこ臭、ノネナール臭が除去された清浄な空気を扇風機の前方へ送風することができる。
【００４３】
外周縁部が扇風機の羽根の径方向先端部と羽根の径方向の寸法を二分する二分線との間の部位の略径方向中央に位置する脱臭具は、扇風機の羽根の略全域に流入する空気のすべてを脱臭具の通気路に通流させることができるとともに、扇風機から送風される空気の略すべてを浄化することができ、脱臭具によって臭気成分やたばこ臭、ノネナール臭が除去された清浄な空気を扇風機の前方へ送風することができる。脱臭具は、扇風機の羽根の中心域よりも羽根の外周域において空気の流速が速くなるが、扇風機の羽根の略１／３が脱臭具の径方向に露出するから、脱臭具が扇風機の羽根に進入する空気の抵抗になることはなく、扇風機の羽根に空気をスムーズに流入させることができ、脱臭具によって臭気成分やたばこ臭、ノネナール臭が除去された清浄な空気を扇風機の前方へ円滑に送風することができる。
【００４４】
外周縁部が扇風機の羽根の径方向先端部の近傍に位置する脱臭具は、扇風機の羽根の全域に流入する空気のすべてを脱臭具の通気路に通流させることができ、扇風機から送風される空気の略すべてを浄化することができ、脱臭具によって臭気成分やたばこ臭、ノネナール臭が除去された清浄な空気を扇風機の前方へ送風することができる。
【００４５】
それら通気路が前面と後面との間でポリウレタンフォームの厚み方向へ不規則に曲折しながら延びているとともに、内周縁部と外周縁部との間でポリウレタンフォームの径方向へ不規則に曲折しながら延びている脱臭具は、通気路が前面から後面に向かって直状に延びる場合と比較し、ポリウレタンフォームの内部における通気路の全長を長くすることができるとともに、ポリウレタンフォームの壁面の比表面積を大きくすることができるから、脱臭具における臭気吸着機能を向上させることができ、送風装置（扇風機）に進入した空気に含まれる臭気成分やたばこ臭、ノネナール臭を活性炭粉末に十分に吸着させることができる。脱臭具は、空気に含まれる臭気成分やたばこ臭、ノネナール臭が活性炭粉末によって除去されるから、それら臭いを除去した清浄な空気を作ることができ、送風装置（扇風機）による送風と同時に無臭かつ清浄な空気を送風装置（扇風機）から送気することができる。
【００４６】
径方向へ隣接して厚み方向へ曲折して延びるそれら通気路が径方向において部分的に繋がり、厚み方向へ隣接して径方向へ曲折して延びるそれら通気路が厚み向において部分的に繋がっている脱臭具は、ポリウレタンフォームの内部における通気路の全長を長くなり、空気が隣接する通気路に進入することで、活性炭粉末に対する空気の接触時間を長くすることができるから、脱臭具における臭気吸着機能を向上させることができ、送風装置（扇風機）に進入した空気に含まれる臭気成分やたばこ臭、ノネナール臭を活性炭粉末に十分に吸着させることができる。脱臭具は、空気に含まれる臭気成分やたばこ臭、ノネナール臭が活性炭粉末によって除去されるから、それら臭いを除去した清浄な空気を作ることができ、送風装置（扇風機）による送風と同時に無臭かつ清浄な空気を送風装置（扇風機）から送気することができる。
【００４７】
それら通気路の開口面積が厚み方向に向かって不規則に変化し、径方向に向かって不規則に変化している脱臭具は、通気路の開口面積が同一である場合と比較し、通気路を通過する空気が通気路に確実に衝突するから、脱臭具における臭気吸着機能を向上させることができ、送風装置（扇風機）に進入した空気に含まれる臭気成分やたばこ臭、ノネナール臭を活性炭粉末に十分に吸着させることができる。脱臭具は、空気に含まれる臭気成分やたばこ臭、ノネナール臭が活性炭粉末によって除去されるから、それら臭いを除去した清浄な空気を作ることができ、送風装置（扇風機）による送風と同時に無臭かつ清浄な空気を送風装置（扇風機）から送気することができる。
【００４８】
臭いを酸化分解する脱臭触媒が脱臭具の径方向の寸法を二分する二分線と内周縁部との間に延びる内側領域または二分線と外周縁部との間に延びる外側領域のいずれかに塗布された脱臭具は、脱臭具の内周領域または外側領域のいずれかに塗布された脱臭触媒によって空気に含まれる臭気成分やたばこ臭、ノネナール臭が酸化分解されるから、空気に含まれる臭気成分やたばこ臭、ノネナール臭を活性炭に吸着させることができるのみならず、臭気成分やたばこ臭、ノネナール臭を酸化分解して無臭にすることができ、空気に含まれる不快な臭いを確実に取り除くことができる。
【００４９】
内周縁部を支持する内周枠と外周縁部を支持する外周枠と径方向へ延びる連結枠とを有して軟質ポリウレタンフォームを支持する支持フレームを備え、内周枠が後ガードの内周部とガード締付ナットとに挟まれた状態で扇風機に取り付けられる脱臭具は、支持フレームの内周枠や外周枠、連結枠によって軟質ポリウレタンフォームが支持され、支持フレームの内周枠を介してポリウレタンフォームを扇風機の後ガードと羽根との間に確実に固定することができるから、支持フレームによって脱臭具を扇風機の後ガードと羽根との間に設置することができ、後ガードから羽根に向かって流動する空気を通気路に確実に流入させることができる。脱臭具は、支持フレームによって扇風機の稼働中における軟質ポリウレタンフォームの不用意な動きを防ぐことができ、ポリウレタンフォームの扇風機の羽根への接触を防ぐことができる。
【００５０】
支持フレームが前面と後面とのうちのいずれか一方の面であって通気性シートまたは通気性ネットの外側に位置し、外周枠が外周縁部を前面と後面とのうちのいずれか一方の面から他方の面に向かって包み込むように延びている脱臭具は、支持フレームの外周枠が脱臭具の外周縁部を保持するから、軟質ポリウレタンフォームが支持フレームに遊動不能に据え付けられ、支持フレームからのポリウレタンフォームの脱落を防ぐことができ、支持フレームを介してポリウレタンフォームを扇風機の後ガードと羽根との間に確実に設置することができる。脱臭具は、支持フレームによって扇風機の稼働中における軟質ポリウレタンフォームの不用意な動きを防ぐことができ、ポリウレタンフォームの扇風機の羽根への接触を防ぐことができる。
【００５１】
支持フレームが前面と後面とのうちのいずれか一方の面であって通気性シートまたは通気性ネットの外側に位置し、外周枠が外周縁部を前面と後面とのうちのいずれか一方の面から他方の面に向かって包み込むように延びているとともに、内周枠が内周縁部を前面と後面とのうちのいずれか一方の面から他方の面に向かって包み込むように延びている脱臭具は、支持フレームの外周枠が外周縁部を保持するとともに、支持フレームの内周枠が内周縁部を保持するから、軟質ポリウレタンフォームが支持フレームに遊動不能に据え付けられ、支持フレームからのポリウレタンフォームの脱落を防ぐことができ、支持フレームを介してポリウレタンフォームを扇風機の後ガードと羽根との間に確実に設置することができる。脱臭具は、支持フレームによって扇風機の稼働中における軟質ポリウレタンフォームの不用意な動きを防ぐことができ、ポリウレタンフォームの扇風機の羽根への接触を防ぐことができる。
【００５２】
支持フレームが前面と後面とのうちのいずれか一方の面に位置して一方の面と通気性シートまたは通気性ネットとの間に介在している脱臭具は、支持フレームが脱臭具の一方の面と通気性シートまたは通気性ネットとの間に位置することで、支持フレームが脱臭具の一方の面と通気性シートまたは通気性ネットとに支持されるとともに、支持フレームの内周枠や外周枠、連結枠によって軟質ポリウレタンフォームが支持されるから、支持フレームによって扇風機の稼働中におけるポリウレタンフォームの不用意な動きを防ぐことができ、ポリウレタンフォームの扇風機の羽根への接触を防ぐことができる。脱臭具は、支持フレームの内周枠を介して脱臭具を扇風機の螺子パイプに確実に固定することができ、支持フレームによって脱臭具を扇風機の後ガードと羽根との間に設置することができる。
【００５３】
支持フレームが前面の側に位置する第１支持フレームと後面の側に位置する第２支持フレームとから形成され、第１支持フレームが前面と通気性シートとの間に介在し、第２支持フレームが後面と通気性シートまたは通気性ネットとの間に介在している脱臭具は、第１支持フレームが前面と通気性シートとの間に位置することで、第１支持フレームが前面と通気性シートとに支持され、第２支持フレームが後面と通気性シートとまたは通気性ネットの間に位置することで、第２支持フレームが後面と通気性シートまたは通気性ネットとに支持されるとともに、軟質ポリウレタンフォームが第１および第２支持フレームの内周枠や外周枠、連結枠によって支持されるから、第１および第２支持フレームによって扇風機の稼働中におけるポリウレタンフォームの不用意な動きを防ぐことができ、ポリウレタンフォームの扇風機の羽根への接触を防ぐことができる。脱臭具は、支持フレームの内周枠を介して脱臭具を扇風機の螺子パイプに確実に固定することができ、支持フレームによって脱臭具を扇風機の後ガードと羽根との間に設置することができる。
【００５４】
支持フレームが前面の側に位置する第１支持フレームと後面の側に位置する第２支持フレームとから形成され、第１支持フレームの内周枠が内周縁部において前面から後面に向かって折れ曲がっているとともに、第１支持フレームの外周枠が外周縁部において前面から後面に向かって折れ曲がり、第２支持フレームの内周枠が内周縁部において後面から前面に向かって折れ曲がっているとともに、第２支持フレームの外周枠が外周縁部において後面から前面に向かって折れ曲がっている脱臭具は、第１および第２支持フレームの外周枠が脱臭具の外周縁部を保持するとともに、第１および第２支持フレームの内周枠が脱臭具の内周縁部を保持するから、脱臭具がそれら支持フレームに据え付けられ、支持フレームからの脱臭具の脱落を防ぐことができ、支持フレームを介して脱臭具を扇風機の後ガードと羽根との間に確実に設置することができる。脱臭具は、支持フレームによって扇風機の稼働中における脱臭具の不用意な動きを防ぐことができ、脱臭具の扇風機の羽根への接触を防ぐことができる。
【００５５】
軟質ポリウレタンフォームの厚み寸法が３〜１０ｍｍの範囲にある脱臭具は、ポリウレタンフォームの厚み寸法を前記範囲にすることで、通気路の壁面の比表面積を大きくすることができるから、脱臭具における臭気吸着機能を向上させることができ、送風装置（扇風機）に進入した空気に含まれる臭気成分やたばこ臭、ノネナール臭を活性炭粉末に十分に吸着させることができる。脱臭具は、空気に含まれる臭気成分やたばこ臭、ノネナール臭が活性炭粉末によって除去されるから、それら臭いを除去した清浄な空気を作ることができ、送風装置（扇風機）による送風と同時に無臭かつ清浄な空気を送風装置（扇風機）から送気することができる。
【００５６】
軟質ポリウレタンフォームの質量が３０〜６０ｇの範囲にある脱臭具は、ポリウレタンフォームの質量が前記範囲にあり、脱臭具を軽量にすることができるから、脱臭具を送風装置（扇風機）に容易に取り付けることができるとともに、脱臭具を送風装置（扇風機）から容易に取り外すことができ、脱臭具の送風装置（扇風機）への設置作業や交換作業を容易に行うことができる。
【００５７】
軟質ポリウレタンフォームの面速が２０〜４０ｃｍ／ｓｅｃの範囲にある脱臭具は、ポリウレタンフォームの面速が前記範囲にあるから、脱臭具が送風装置（扇風機）の羽根に進入する空気の抵抗になることはなく、送風装置（扇風機）の羽根に空気をスムーズに流入させることができ、脱臭具によって臭気成分やたばこ臭、ノネナール臭が除去された清浄な空気を送風装置（扇風機）の前方へ円滑に送風することができる。また、送風装置（扇風機）に進入した空気が通気路を瞬時に通過することがないから、通気路の壁面に空気を十分に接触させることができ、空気に含まれる臭気成分やたばこ臭、ノネナール臭を活性炭粉末に十分に吸着させることができる。
【００５８】
通気性シートが粗塵用フィルタ、中高性能フィルタ、ＨＥＰＡフィルタ、ＵＬＰＡフィルタのうちのいずれかである脱臭具は、空気に含まれる微細な塵埃や花粉、PM2.5等の不純物をそれらフィルタによって確実に除去することができるから、それらフィルタを利用してそれら不純物を除去した空気を作ることができ、送風装置（扇風機）による送風と同時に不純物を除去した空気を送風装置（扇風機）から送気することができる。
【００５９】
通気性シートがエレクトレット化されている脱臭具は、通気性シートの静電作用によって空気に含まれる微細な塵埃や花粉、PM2.5等の不純物がシートに効率よく捕集されるから、シートを利用してそれら不純物を除去した空気を作ることができ、送風装置（扇風機）による送風と同時に不純物を除去した空気を送風装置（扇風機）から送気することができる。また、塵埃や花粉、PM2.5等の不純物がシートに捕集されることで、それら不純物の送風装置（扇風機）による拡散を防ぐことができる。
【００６０】
連続気泡を有する軟質ポリウレタンフォームから作られて臭気を吸着する活性炭粉末が通気路の壁面に固着され、前面全域と後面全域とのうちのいずれか一方がフィルタ機能を有する通気性シートに包被され、前面全域と後面全域とのうちのいずれか他方が複数の網目を有する通気性ネットに包被された脱臭具が取り付けられた扇風機は、扇風機の後ガードから羽根に向かって流入する空気が脱臭具に形成された複数の通気路を通るときに活性炭粉末に接触し、空気に含まれる臭気成分やたばこ臭、ノネナール臭が活性炭粉末に吸着されるから、扇風機を通過する空気に含まれる不快な臭いを確実に取り除くことができる。扇風機は、空気に含まれる臭気成分やたばこ臭、ノネナール臭が活性炭粉末によって除去されるとともに、空気に含まれる微細な塵埃や花粉、PM2.5等の不純物が前面または後面を包被するシートによって除去されるから、それら臭いやそれら不純物を除去した清浄な空気を作ることができ、送風と同時に不快臭や不純物を除去した無臭かつ清浄な空気を送気することができる。
【００６１】
連続気泡を有する軟質ポリウレタンフォームから作られて臭気を吸着する活性炭粉末が通気路の壁面に固着され、前面全域と後面全域とがフィルタ機能を有する通気性シートに包被された脱臭具が取り付けられた扇風機は、扇風機の後ガードから羽根に向かって流入する空気が脱臭具に形成された複数の通気路を通るときに活性炭粉末に接触し、空気に含まれる臭気成分やたばこ臭、ノネナール臭が活性炭粉末に吸着されるから、扇風機を通過する空気に含まれる不快な臭いを確実に取り除くことができる。扇風機は、空気に含まれる臭気成分やたばこ臭、ノネナール臭が活性炭粉末によって除去されるとともに、空気に含まれる微細な塵埃や花粉、PM2.5等の不純物が前後面を包被するそれらシートによって除去されるから、それら臭いやそれら不純物を除去した清浄な空気を作ることができ、送風と同時に不快臭や不純物を除去した無臭かつ清浄な空気を送気することができる。
【００６２】
臭気を吸着する活性炭粉末を混入したポリエーテル系フォーム原料または活性炭粉末を混入したポリエステル系フォーム原料を発泡させた連続気泡を有する軟質ポリウレタンフォームから作られ、前面全域と後面全域とのうちのいずれか一方がフィルタ機能を有する通気性シートに包被され、前面全域と後面全域とのうちのいずれか他方が複数の網目を有する通気性ネットに包被された脱臭具が取り付けられた扇風機は、扇風機の後ガードから羽根に向かって流入する空気が脱臭具に形成された複数の通気路を通るときに活性炭粉末に接触し、空気に含まれる臭気成分やたばこ臭、ノネナール臭が活性炭粉末に吸着されるから、扇風機を通過する空気に含まれる不快な臭いを確実に取り除くことができる。扇風機は、空気に含まれる臭気成分やたばこ臭、ノネナール臭が活性炭粉末によって除去されるとともに、空気に含まれる微細な塵埃や花粉、PM2.5等の不純物が前面または後面を包被するシートによって除去されるから、それら臭いやそれら不純物を除去した清浄な空気を作ることができ、送風と同時に不快臭や不純物を除去した無臭かつ清浄な空気を送気することができる。
【００６３】
臭気を吸着する活性炭粉末を混入したポリエーテル系フォーム原料または活性炭粉末を混入したポリエステル系フォーム原料を発泡させた連続気泡を有する軟質ポリウレタンフォームから作られ、前面全域と後面全域とがフィルタ機能を有する通気性シートに包被された脱臭具が取り付けられた扇風機は、扇風機の後ガードから羽根に向かって流入する空気が脱臭具に形成された複数の通気路を通るときに活性炭粉末に接触し、空気に含まれる臭気成分やたばこ臭、ノネナール臭が活性炭粉末に吸着されるから、扇風機を通過する空気に含まれる不快な臭いを確実に取り除くことができる。扇風機は、空気に含まれる臭気成分やたばこ臭、ノネナール臭が活性炭粉末によって除去されるとともに、空気に含まれる微細な塵埃や花粉、PM2.5等の不純物が前後面を包被するそれらシートによって除去されるから、それら臭いやそれら不純物を除去した清浄な空気を作ることができ、送風と同時に不快臭や不純物を除去した無臭かつ清浄な空気を送気することができる。
【００６４】
脱臭具のそれら通気路が前面と後面との間で軟質ポリウレタンフォームの厚み方向へ不規則に曲折しながら延びているとともに、脱臭具の内周縁部と外周縁部との間でポリウレタンフォームの径方向へ不規則に曲折しながら延びている扇風機は、通気路が脱臭具の前面から後面に向かって直状に延びる場合と比較し、ポリウレタンフォームの内部における通気路の全長を長くすることができるとともに、壁面の比表面積を大きくすることができるから、脱臭具における臭気吸着機能を向上させることができ、扇風機に進入した空気に含まれる臭気成分やたばこ臭、ノネナール臭を活性炭粉末に十分に吸着させることができる。
【００６５】
径方向へ隣接して厚み方向へ曲折して延びるそれら通気路が径方向において部分的に繋がり、厚み方向へ隣接して径方向へ曲折して延びるそれら通気路が厚み向において部分的に繋がっている扇風機は、ポリウレタンフォームの内部における通気路の全長が長くなり、空気が隣接する通気路に進入することで、活性炭粉末に対する空気の接触時間を長くすることができるから、脱臭具における臭気吸着機能を向上させることができ、扇風機に進入した空気に含まれる臭気成分やたばこ臭、ノネナール臭を活性炭粉末に十分に吸着させることができる。
【００６６】
それら通気路の開口面積が厚み方向に向かって不規則に変化し、径方向に向かって不規則に変化している扇風機は、脱臭具の通気路の開口面積が同一である場合と比較し、通気路を通過する空気が通気路に確実に衝突するから、脱臭具における臭気吸着機能を向上させることができ、扇風機に進入した空気に含まれる臭気成分やたばこ臭、ノネナール臭を活性炭粉末に十分に吸着させることができる。
【００６７】
内周縁部を支持する内周枠と外周縁部を支持する外周枠と径方向へ延びる連結枠とを有して軟質ポリウレタンフォームを支持する支持フレームを備え、支持フレームの内周枠が後ガードの内周部とガード締付ナットとに挟まれた状態で着脱可能に取り付けられる扇風機は、支持フレームの内周枠や外周枠、連結枠によって軟質ポリウレタンフォームが支持され、支持フレームの内周枠を介してポリウレタンフォームを扇風機の後ガードと羽根との間に確実に固定することができるから、支持フレームによって脱臭具を扇風機の後ガードと羽根との間に設置することができ、後ガードから羽根に向かって流動する空気を通気路に確実に流入させることができる。扇風機は、支持フレームによって扇風機の稼働中における軟質ポリウレタンフォームの不用意な動きを防ぐことができ、ポリウレタンフォームの扇風機の羽根への接触を防ぐことができる。
【図面の簡単な説明】
【００６８】
【図１】一例として示す脱臭具の斜視図。
【図２】後面の側から示す脱臭具の斜視図。
【図３】軟質ポリウレタンフォームの部分拡大斜視図。
【図４】脱臭具を扇風機に取り付ける手順を説明する図。
【図５】図１の脱臭具を取り付けた扇風機の正面図。
【図６】図１の脱臭具を取り付けた扇風機の正面図。
【図７】図１の脱臭具を取り付けた扇風機の側面図。
【図８】図１の脱臭具を取り付けた扇風機の背面斜視図。
【図９】他の一例として示す脱臭具の斜視図。
【図１０】他の一例として示す脱臭具を取り付けた扇風機の正面図。
【図１１】他の一例として示す脱臭具を取り付けた扇風機の正面図。
【図１２】他の一例として示す脱臭具１０Ｅの正面図。
【図１３】図１２の脱臭具の背面図。
【図１４】図１２のＡ−Ａ線矢視断面図。
【図１５】図１２の脱臭具を取り付けた扇風機の正面図。
【図１６】図１２の脱臭具を取り付けた扇風機の正面図。
【図１７】図１２の脱臭具を取り付けた扇風機の背面斜視図。
【図１８】他の一例として示す脱臭具の斜視図。
【図１９】他の一例として示す脱臭具の正面図。
【図２０】図１９の脱臭具の背面図。
【図２１】図１９のＢ−Ｂ線矢視断面図。
【図２２】他の一例として示す脱臭具の斜視図。
【図２３】他の一例として示す脱臭具の正面図。
【図２４】図２３の脱臭具の背面図。
【図２５】図２３のＣ−Ｃ線矢視断面図。
【図２６】図２３の脱臭具を取り付けた扇風機の正面図。
【図２７】図２３の脱臭具を取り付けた扇風機の正面図。
【図２８】図２３の脱臭具を取り付けた扇風機の背面斜視図。
【図２９】他の一例として示す脱臭具の斜視図。
【図３０】他の一例として示す脱臭具の正面図。
【図３１】図３０の脱臭具の背面図。
【図３２】図３０のＤ−Ｄ線矢視断面図。
【図３３】他の一例として示す脱臭具の斜視図。
【図３４】他の一例として示す脱臭具の正面図。
【図３５】図３４の脱臭具の背面図。
【図３６】図３４のＥ−Ｅ線矢視断面図。
【図３７】図３４の脱臭具を取り付けた扇風機の正面図。
【図３８】図３４の脱臭具を取り付けた扇風機の背面斜視図。
【図３９】他の一例として示す脱臭具の正面図。
【図４０】図３９の脱臭具の背面図。
【図４１】図３９のＦ−Ｆ線矢視断面図。
【図４２】他の一例として示す脱臭具の正面図。
【図４３】図４２の脱臭具の背面図。
【図４４】図４２のＧ−Ｇ線矢視断面図。
【図４５】図４２の脱臭具を取り付けた扇風機の正面図。
【図４６】図４２の脱臭具を取り付けた扇風機の正面図。
【図４７】図４２の脱臭具を取り付けた扇風機の背面斜視図。
【図４８】他の一例として示す脱臭具の斜視図。
【図４９】各脱臭具の脱臭機能の測定手順を説明する図。
【図５０】図４９から続く各脱臭具の脱臭機能の測定手順を説明する図。
【図５１】アンモニアに対する測定結果を示す図。
【図５２】トリメチルアミンに対する測定結果を示す図。
【図５３】メチルメルカプタンに対する測定結果を示す図。
【図５４】硫化水素に対する測定結果を示す図。
【図５５】酢酸に対する測定結果を示す図。
【図５６】アセトアルデヒドに対する測定結果を示す図。
【発明を実施するための形態】
【００６９】
一例として示す脱臭具１０Ａの斜視図である図１等の添付の図面を参照し、本発明にかかる脱臭具および脱臭具が取り付けられた扇風機の詳細を説明すると、以下のとおりである。なお、図２は、後面の側から示す脱臭具１０Ａの斜視図であり、図３は、脱臭具１０Ａを形成する軟質ポリウレタンフォーム１１の部分拡大斜視図である。図４は、脱臭具１０Ａを扇風機２５に取り付ける手順を説明する図であり、図５，６は、図１の脱臭具１０Ａを取り付けた扇風機２５の正面図である。図７は、図１の脱臭具１０Ａを取り付けた扇風機２５の側面図であり、図８は、図１の脱臭具１０Ａを取り付けた扇風機２５の背面斜視図である。図５では、前ガード２６および羽根２９の図示を省略している。図１では、通気性シート２０の一部を破断して示す。図１，２では、径方向を矢印Ｘ、厚み方向を矢印Ｙで示し、周り方向を矢印Ｚで示するしをこうを。
【００７０】
脱臭具１０Ａは、扇風機２５（後記する後ガード２８の直前、後記する羽根２９の直後）（送風装置）に着脱可能に取り付けられ、扇風機２５を通過する空気に含まれる臭いの除去に好適に使用される。脱臭具１０Ａの一例としては、活性炭粉末（図示せず）が塗布された軟質ポリウレタンフォーム１１から作られている。活性炭粉末は、所定のバインダー（接着剤）によってポリウレタンフォーム１１の壁面１２（後記する前後面１３，１４および通気路１８の壁面）に固着されている。活性炭粉末が塗布された軟質ポリウレタンフォーム１１は、連続気泡を有するとともに所定の厚みを有し、弾性変形可能かつ可撓性を有する。
【００７１】
ポリウレタンフォーム１１の壁面１２に活性炭粉末を塗布（固着）する一例は、ポリウレタンフォーム１１の一方の面から他方の面に向かって空気を通流させつつ、活性炭粉末とバインダーとの混合塗料をポリウレタンフォーム１１一方の面に吹き付け塗装し、その混合塗料を乾燥させる。ポリウレタンフォーム１１の壁面１２に活性炭粉末を塗布（固着）する他の一例は、活性炭粉末とバインダーとの混合塗料にポリウレタンフォーム１１をドブ付けし、その混合塗料を乾燥させる。活性炭粉末を塗布したポリウレタンフォーム１１では、ポリウレタンフォーム１１の壁面１２に活性炭粉末が積層され、ポリウレタンフォーム１１の壁面１２に活性炭の被覆層が形成される。
【００７２】
脱臭具１０Ａの他の一例としては、活性炭粉末を混入したフォーム原料を発泡させた軟質ポリウレタンフォーム１１から作られている。活性炭粉末を混入したフォーム原料を発泡させたポリウレタンフォーム１１では、ポリウレタンフォーム１１の壁面１２に活性炭が露出する。活性炭粉末を混入した軟質ポリウレタンフォーム１１は、連続気泡を有するとともに所定の厚みを有し、弾性変形可能かつ可撓性を有する。
【００７３】
ポリウレタンフォーム１１には、トリレンジイソシアネートとポリエーテルポリオール等を原料とするポリエーテル系フォーム、または、トリレンジイソシアネートと分岐ポリエステルポリオール等を原料とするポリエステル系フォームが使用されている。ポリウレタンフォーム１１は、フォーム原料に気泡径の調整等に使用する添加剤を加え、水と発泡助剤とによって発泡が行われる。
【００７４】
活性炭粉末は、約３００〜５０００ｍ2／ｇの比表面積を有し、高い臭気吸着機能（ヨウ素やガス状セシウム等の放射性物質吸着機能を含む）を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。フォーム原料に対する活性炭粉末の混合割合は、フォーム原料１００重量％に対して活性炭粉末８０〜１８０重量％、好ましくは、フォーム原料１００重量％に対して活性炭粉末１００〜１５０重量％である。
【００７５】
脱臭具１０Ａ（ポリウレタンフォーム１１）は、平面形状が円形の所定面積の前面１３および平面形状が円形の所定面積の後面１４と、周り方向へ環状に延びる内周縁部１５および周り方向へ環状に延びる外周縁部１６と、内周縁部１５に囲繞された円形の中央開口１７と、前後面１３，１４間に存在する複数の通気路１８と、通気路１８につながって前後面１３，１４に開口する複数の通気口１９とを有する（図２参照）。なお、前面１３や後面１４の平面形状は円形に限定されず、正方形や長方形、多角形、楕円形等の他の形状であってもよい。
【００７６】
脱臭具１０Ａ（ポリウレタンフォーム１１）は、その前面１３全域がフィルタ機能を有する通気性シート２０に包被されている。通気性シート２０には、粗塵用フィルタ、中高性能フィルタ、ＨＥＰＡフィルタ、ＵＬＰＡフィルタのうちのいずれかが使用されている。通気性シート２０は、エレクトレット化されている。通気性シート２０をエレクトレット化する一例としては、エレクトレット処理装置を利用し、針状電極と電極との距離を２５ｍｍとし、印可電圧を２５ｋｖとするとともに、処理温度を８０℃としてエレクトレット処理を行う。なお、通気性シート２０がエレクトレット化されていなくてもよい。
【００７７】
脱臭具１０Ａ（ポリウレタンフォーム１１）は、その後面１４全域が複数の網目を有する通気性ネット２１（網）に包被されている。通気性ネット２１には、メッシュ数が１０メッシュ（１００×１００メッシュ）や１２メッシュ（１２０×１２０メッシュ）、２４メッシュ（２４０×２４０メッシュ）、３２メッシュ（３２０×３２０メッシュ）等を使用することができる。
【００７８】
通気性シート２０や通気性ネット２１は、脱臭具１０Ａ（ポリウレタンフォーム１１）の内周縁部１５から径方向内方へ延びる部分が縫製され、または、熱融着（ソニックシールやヒートシール）によって固着されている。通気性シート２０や通気性ネット２１は、脱臭具１０Ａ（ポリウレタンフォーム１１）の外周縁部１６から径方向外方へ延びる部分が縫製され、または、熱融着（ソニックシールやヒートシール）によって固着されている。
【００７９】
それら通気路１８は、ポリウレタンフォーム１１の壁面１２に囲繞されてポリウレタンフォーム１１の内部に画成されている。ポリウレタンフォーム１１の壁面１２に活性炭粉末が塗布されている場合、通気路１８を画成する壁面１２に活性炭の被覆層が形成されている。ポリウレタンフォーム１１に活性炭粉末が混入されている場合、通気路１８を画成する壁面１２に活性炭が露出している。
【００８０】
通気路１８は、前面１３と後面１４との間においてポリウレタンフォーム１１の厚み方向へ不規則に曲折しながら延びているとともに、内周縁部１５と外周縁部１６との間においてポリウレタンフォーム１１の径方向へ不規則に曲折しながら延びている。径方向へ隣接して厚み方向へ曲折して延びるそれら通気路１８は、径方向において部分的に繋がり、一方の通気路１８と他方の通気路１８とが互いに連通している。厚み方向へ隣接して径方向へ曲折して延びるそれら通気路１８は、厚み向において部分的に繋がり、一方の通気路１８と他方の通気路１８とが互いに連通している。
【００８１】
それら通気路１８の開口面積は、厚み方向に向かって一様ではなく、厚み方向に向かって不規則に変化しているとともに、径方向に向かって一様ではなく、径方向に向かって不規則に変化している。それら通気路１８は、その開口面積が大きくなったり、小さくなったりしながら厚み方向と径方向とへ不規則に開口している。また、通気路１８に繋がるそれら通気口１９は、その面積が一様ではなく、その面積が相違している。
【００８２】
ポリウレタンフォーム１１（脱臭具１０Ａ）は、その厚み寸法が３〜１０ｍｍの範囲、好ましくは４〜６ｍｍの範囲にある。ポリウレタンフォーム１１の厚み寸法が３ｍｍ未満では、ポリウレタンフォーム１１の壁面１２の比表面積を大きくすることができず、脱臭具１０Ａ（活性炭粉末を塗布したポリウレタンフォーム１１や活性炭粉末を混入したポリウレタンフォーム１１）の臭気吸着機能を向上させることができない。ポリウレタンフォーム１１の厚み寸法が１０ｍｍを超過すると、ポリウレタンフォーム１１（脱臭具１０Ａ）の空気抵抗が大きく、脱臭具１０Ａが扇風機２５の羽根２９に進入する空気の抵抗になり、扇風機２５の羽根２９に空気をスムーズに流入させることができない。
【００８３】
脱臭具１０Ａは、それを作るポリウレタンフォーム１１の厚み寸法が前記範囲にあるから、ポリウレタンフォーム１１の壁面１２の比表面積を大きくすることができ、脱臭具１０Ａ（活性炭粉末を塗布したポリウレタンフォーム１１や活性炭粉末を混入したポリウレタンフォーム１１）の臭気吸着機能を向上させることができ、扇風機２５に進入した空気に含まれる臭気成分やたばこ臭、ノネナール臭をポリウレタンフォーム１１に塗布された活性炭粉末やポリウレタンフォーム１１に混入された活性炭粉末に十分に吸着させることができる。また、ポリウレタンフォーム１１（脱臭具１０Ａ）が扇風機２５の羽根２９に進入する空気の抵抗になることはなく、扇風機２５の羽根２９に空気をスムーズに流入させることができる。
【００８４】
ポリウレタンフォーム１１（脱臭具１０Ａ）は、その質量が３０〜６０ｇの範囲にある。脱臭具１０Ａは、ポリウレタンフォーム１１の質量が前記範囲にあり、脱臭具１０Ａを軽量にすることができるから、脱臭具１０Ａを扇風機２５に容易に取り付けることができるとともに、脱臭具１０Ａを扇風機２５から容易に取り外すことができ、脱臭具１０Ａの扇風機２５への設置作業や交換作業を容易に行うことができる。
【００８５】
脱臭具１０Ａは、それを作るポリウレタンフォーム１１の面速が２０〜４０ｃｍ／ｓｅｃの範囲、好ましくは２５〜３５ｃｍ／ｓｅｃの範囲にある。ポリウレタンフォーム１１の面速が２０ｃｍ／ｓｅｃ未満では、空気がポリウレタンフォーム１１をスムーズに通流することができず、脱臭具１０Ａが扇風機２５の羽根２９に進入する空気の抵抗になり、扇風機２５の羽根２９に空気をスムーズに流入させることができない。ポリウレタンフォーム１１の面速が４０ｃｍ／ｓｅｃを超過すると、扇風機２５に進入した空気がポリウレタンフォーム１１の通気路１８を瞬時に通過し、ポリウレタンフォーム１１の通気路１８の壁面１２に空気を十分に接触させることができず、空気に含まれる臭気成分やたばこ臭、ノネナール臭をポリウレタンフォームに塗布された活性炭粉末やポリウレタンフォームに混入された活性炭粉末に十分に吸着させることができない。
【００８６】
脱臭具１０Ａは、ポリウレタンフォーム１１の面速が前記範囲にあるから、脱臭具１０Ａが扇風機２５の羽根２９に進入する空気の抵抗になることはなく、扇風機２５の羽根２９に空気をスムーズに流入させることができ、脱臭具１０Ａによって臭気成分やたばこ臭、ノネナール臭が除去された清浄な空気を扇風機２５の前方へ円滑に送風することができる。また、扇風機２５に進入した空気がポリウレタンフォーム１１の通気路１８を瞬時に通過することはなく、ポリウレタンフォーム１１の通気路１８の壁面１２に空気を十分に接触させることができ、空気に含まれる臭気成分やたばこ臭、ノネナール臭をポリウレタンフォーム１１に塗布された活性炭粉末やポリウレタンフォーム１１に混入された活性炭粉末に十分に吸着させることができる。
【００８７】
ポリウレタンフォーム１１には、その径方向の寸法を二分する二分線２２と内周縁部１５との間に延びる内側領域２３または二分線２２と外周縁部１６との間に延びる外側領域２４のいずれかに臭気成分やたばこ臭、ノネナール臭を酸化分解する脱臭触媒が塗布されている場合がある。脱臭触媒には、銅イオン担持ゼオライトの脱臭触媒、活性二酸化マンガン−銅イオン担持ゼオライトの脱臭触媒、酸化銅（酸化銅または亜酸化銅）−銅イオン担持ゼオライトの脱臭触媒、活性二酸化マンガン−銅イオン担持ゼオライト−銅酸化物（酸化銅または亜酸化銅）の脱臭触媒等の既存のそれらを使用することができる。
【００８８】
銅イオン担持ゼオライトの脱臭触媒のポリウレタンフォーム１１への塗布手順の一例は、以下のとおりである。銅イオン担持ゼオライトに水を加えてそれらを湿式混合した後、その水溶液にシリカゾルを混合して脱臭触媒塗料を作る。次に、その脱臭触媒塗料をポリウレタンフォーム１１の内側領域２３または外側領域２４のいずれかに塗布した後、脱臭触媒塗料を乾燥させてポリウレタンフォーム１１の壁面１２（通気路１８）に脱臭触媒の被覆層を形成する。
【００８９】
活性二酸化マンガン−銅イオン担持ゼオライトの脱臭触媒のポリウレタンフォーム１１への塗布手順の一例は、以下のとおりである。活性二酸化マンガンに銅イオン担持ゼオライトを配合し、水を加えてそれらを湿式混合した後、その水溶液にシリカゾルを混合して脱臭触媒塗料を作る。次に、その脱臭触媒塗料をポリウレタンフォーム１１の内側領域２３または外側領域２４のいずれかに塗布した後、脱臭触媒塗料を乾燥させてポリウレタンフォーム１１の壁面１２（通気路１８）に脱臭触媒の被覆層を形成する。
【００９０】
酸化銅（酸化銅または亜酸化銅）−銅イオン担持ゼオライトの脱臭触媒のポリウレタンフォーム１１への塗布手順の一例は、以下のとおりである。酸化銅（酸化銅または亜酸化銅）に銅イオン担持ゼオライトを配合し、水を加えてそれらを湿式混合した後、その水溶液にシリカゾルを混合して脱臭触媒塗料を作る。次に、その脱臭触媒塗料をポリウレタンフォーム１１の内側領域２３または外側領域２４のいずれかに塗布した後、脱臭触媒塗料を乾燥させてポリウレタンフォーム１１の壁面１２（通気路１８）に脱臭触媒の被覆層を形成する。
【００９１】
活性二酸化マンガン−銅イオン担持ゼオライト−銅酸化物（酸化銅または亜酸化銅）の酸化分解性脱臭触媒のポリウレタンフォーム１１への塗布手順の一例は、以下のとおりである。活性二酸化マンガンに銅イオン担持ゼオライトと酸化銅または亜酸化銅とを配合し、水を加えて湿式混合した後、シリカゾルを加えて混合し、酸化分解性脱臭触媒塗料を作る。次に、その脱臭触媒塗料をポリウレタンフォーム１１の内側領域２３または外側領域２４のいずれかに塗布した後、脱臭触媒塗料を乾燥させてポリウレタンフォーム１１の壁面１２（通気路１８）に脱臭触媒の被覆層を形成する。
【００９２】
脱臭具１０Ａを扇風機２５に取り付ける手順は、以下のとおりである。なお、脱臭具１０Ａ（後記する脱臭具１０Ｂ〜１０を含む）を取り付ける扇風機２５（脱臭具１０Ａ〜１０を取り付けた扇風機２５）には、図示のリビング扇風機の他に、壁掛け扇風機、小型扇、ルーバー扇、ボックス扇風機、エアーサーキュレーター、卓上扇風機、クリップ扇風機、工業扇がある。
【００９３】
扇風機２５の前ガード２６のクリップ２７を下方へ旋回させて前ガード２６と後ガード２８との係合を解除し、扇風機２５から前ガード２６を取り外すとともに、羽根２９を扇風機２５のモーターシャフト３０に固定するスピンナー３１を時計回り方向へ回転させてモーターシャフト３０の先端部からスピンナー３１を取り外す。次に、モーターシャフト３０の前方へ羽根２９を移動させ、羽根２９の軸孔をモーターシャフト３０から抜き取って羽根２９をモーターシャフト３０から取り外した後、ガード締付ナット３２を反時計回り方向へ回転させ、扇風機２５のモーターケース３３から前方へ延びる螺子パイプ３４とガード締付ナット３２との螺着を解除し、螺子パイプ３４からガード締付ナット３２を取り外す。
【００９４】
ガード締付ナット３２を螺子パイプ３４から取り外した後、脱臭具１０Ａの前面１３（通気性シート２０）を羽根２９に対向させるとともに、脱臭具１０Ａの後面１４（通気性ネット２１）を後ガード２８に対向させた状態で、中央開口１７をモーターシャフト３０に挿通するとともに、中央開口１７を螺子パイプ３４に挿入する。なお、中央開口１７の直径は、螺子パイプ３４の直径よりもわずかに大きい。中央開口１７を螺子パイプ３４に挿入すると、脱臭具１０Ａの内周縁部１５が後ガード２８の内周部３５に当接する。
【００９５】
中央開口１７を螺子パイプ３４に挿入した後、螺子パイプ３４においてガード締付ナット３２を時計回り方向へ回転させ、そのガード締付ナット３２を螺子パイプ３４に再び螺着する。ガード締付ナット３２を螺子パイプ３４に螺着すると、脱臭具１０Ａの内周縁部１５がガード締付ナット３２と後ガード２８の内周部３５とに挟まれ、脱臭具１０Ａが扇風機２５のモーターケース３３に固定される（図５参照）。
【００９６】
次に、羽根２９の軸孔をモーターシャフト３０に挿通し、スピンナー３１を反時計回り方向へ回転させ、モーターシャフト３０の先端部にスピンナー３１を再び螺着して羽根２９をモーターシャフト３０に固定し、前ガード２６のガードリング３６と後ガード２８のガードリング３７との位置を合わせ、前ガード２６のクリップ２７を上方へ旋回させて前ガード２６と後ガード２８とを係合させる。脱臭具１０Ａを扇風機２５に取り付けると、脱臭具１０Ａが後ガード２８と羽根２９との間に位置し、臭具１０Ａの外周縁部１６が扇風機２５の羽根２９の径方向の寸法を二分する二分線３８の近傍に位置する（図６参照）。
【００９７】
扇風機２５に脱臭具１０Ａを取り付けた後、扇風機２５のスイッチをＯＮにすると、モーターによってモーターシャフト３０が回転するとともに、羽根２９が回転し、空気が後ガード２８の全域であってガード２８の後方から扇風機２５に進入する。後ガード２８の後方から扇風機２５に進入した空気は、通気性ネット２１を通過し、脱臭具１０Ａ（ポリウレタンフォーム１１）の後面１４の通気口１９から通気路１８に進入した後、通気路１８を通って脱臭具１０Ａ（ポリウレタンフォーム１１）の前面１３の通気口１９から流出し、通気性シート２０を通過して扇風機２５の前方へ送風される。なお、ポリウレタンフォーム１１の内部において通気路１８が厚み方向と径方向とへ不規則に曲折しながら延びているから、通気路１８を通る空気が通気路１８の壁面１２に確実に接触する。
【００９８】
通気路１８に進入した空気は、厚み方向や径方向に曲折して延びる通気路１８の壁面１２に接触し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭が通気路１８に形成された活性炭粉末の被覆層や通気路１８の表面に露出する活性炭粉末に吸着される。なお、脱臭具１０Ａ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の不純物がシート２０に捕集され（通気性シート２０がエレクトレット化されている場合、シートの静電作用によって空気に含まれる不純物がシート２０に効率よく捕集され）、塵埃や花粉、PM2.5等の不純物が除去された空気が羽根２９に進入する。
【００９９】
脱臭具１０Ａ（脱臭具１０Ａを取り付けた扇風機２５）は、脱臭具１０Ａを形成する軟質ポリウレタンフォーム１１の壁面１２に活性炭粉末が塗布（固着）され、または、ポリウレタンフォーム１１に活性炭粉末が混入されているから、扇風機２５（前ガード２６と後ガード２８との間）に進入した空気が通気路１８を通過するときに空気が通気路１８の壁面１２に接触し、空気に含まれる臭気成分やたばこ臭、ノネナール臭を活性炭粉末に吸着させることができ（内側領域２３または外側領域２４に脱臭触媒が塗布されている場合、空気に含まれる臭気成分やたばこ臭、ノネナール臭を脱臭触媒によって酸化分解することができ）、扇風機２５を通過する空気に含まれる臭気成分やたばこ臭、ノネナール臭を確実に取り除くことができる。
【０１００】
脱臭具１０Ａ（脱臭具１０Ａを取り付けた扇風機２５）は、前面１３全域がフィルタ機能を有する通気性シート２０に包被され、扇風機２４に進入した空気がシート２０を通過するときに、空気に含まれる塵埃や花粉、PM2.5等の不純物がシート２０に捕集されるから（通気性シート２０がエレクトレット化されている場合、シートの静電作用によって空気に含まれる不純物がシートに効率よく捕集されるから）、扇風機２５に進入した空気に含まれる塵埃や花粉、PM2.5等の不純物をシート２０によって除去することができ、それら不純物を除去した空気を作ることができるとともに、扇風機２５による送風と同時に不純物を除去した空気を扇風機２５から送気することができる。また、塵埃や花粉、PM2.5等の不純物が通気性シート２０に捕集されることで、それら不純物の扇風機２５による拡散を防ぐことができる。
【０１０１】
脱臭具１０Ａ（脱臭具１０Ａを取り付けた扇風機２５）は、それら通気路１８が厚み方向と径方向とへ不規則に曲折しながら延び、隣接する通気路が厚み方向と径方向とにおいて部分的に繋がっているから、通気路１８が前面１３と後面１４との間で直状に延びる場合と比較し、ポリウレタンフォーム１１の内部における通気路１８の全長を長くすることができるとともに、ポリウレタンフォーム１１の壁面１２の比表面積を大きくすることができ、脱臭具１０Ａ（活性炭粉末を固着したポリウレタンフォーム１１や活性炭粉末を混入したポリウレタンフォーム１１）の臭気吸着機能を向上させることができるとともに、扇風機２５に進入した空気に含まれる臭気成分やたばこ臭、ノネナール臭をポリウレタンフォームに固着された活性炭粉末やポリウレタンフォームに混入された活性炭粉末に十分に吸着させることができる。
【０１０２】
脱臭具１０Ａ（脱臭具１０Ａを取り付けた扇風機２５）は、空気が後ガード２８の全域であってガード２８の後方から扇風機２５の羽根２９に進入し、後ガード２８から扇風機２５の羽根２９に進入する空気の流速が遅く（羽根２９の後方における空気の流速が遅く）、空気が脱臭具１０Ａ（ポリウレタンフォーム１１）の通気路１８をゆっくりと通過するから、脱臭具１０Ａを扇風機２５の羽根２９と前ガード２６との間に設置する場合と比較し、脱臭具１０Ａ（ポリウレタンフォーム１１）の壁面１２に対する空気の接触時間を長くすることができ、空気に含まれる臭いを活性炭粉末に確実に吸着させることができる。
【０１０３】
脱臭具１０Ａ（脱臭具１０Ａを取り付けた扇風機２４）は、建造物内の空気が扇風機２５の稼働中に脱臭具１０Ａ（ポリウレタンフォーム１１）の通気路１８を通流した後、再び扇風機２５に進入して脱臭具１０Ａ（ポリウレタンフォーム１１）の通気路１８を通流することで、建造物内の空気が通気路１８を何回も通過するから、建造物内の空気が脱臭具１０Ａによって次第に浄化され、扇風機２５を長時間稼働させることで脱臭具１０Ａの脱臭機能を十分に発揮させることができる。
【０１０４】
図９は、他の一例として示す脱臭具１０Ｂの斜視図である。図９では、脱臭具１０Ｂを後面１４の側から示す。図９では、径方向を矢印Ｘ、厚み方向を矢印Ｙで示し、周り方向を矢印Ｚで示す。るしをこうを図９に示す脱臭具１０Ｂが図１のそれと異なるところは、脱臭具１０Ｂ（ポリウレタンフォーム１１）の前面全域１３（図１参照）と後面１４全域とがフィルタ機能を有する通気性シート２０に包被されている点にある。この脱臭具１０Ｂのその他の構成は、図１の脱臭具１０Ａのそれと同一であるから、その説明は省略する。通気性シート２０には、粗塵用フィルタ、中高性能フィルタ、ＨＥＰＡフィルタ、ＵＬＰＡフィルタのうちのいずれかが使用されている。
【０１０５】
脱臭具１０Ｂ（脱臭具１０Ｂを取り付けた扇風機２５）は、図１の脱臭具１０Ａ（脱臭具１０Ａを取り付けた扇風機２５）が有する効果に加え、以下の効果を有する。脱臭具１０Ｂ（脱臭具１０Ｂを取り付けた扇風機２５）は、その前面１３全域と後面１４全域とがフィルタ機能を有する通気性シート２０に包被されているから、扇風機２５に進入した空気に含まれる微細な塵埃や花粉、PM2.5等の不純物をそれらシート２０によって除去することができ、それら不純物を除去した空気を作ることができ、扇風機２５による送風と同時に不純物を除去した空気を扇風機２５から送気することができる。また、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｂ（活性炭粉末）の臭気吸着機能の低下を防ぐことができる。
【０１０６】
図１０は、他の一例として示す脱臭具１０Ｃを取り付けた扇風機２５の正面図であり、図１１は、他の一例として示す脱臭具１０Ｄを取り付けた扇風機２５の正面図である。図１０に示す脱臭具１０Ｃが図１や図９のそれらと異なるところは、脱臭具１０Ｃの直径および面積が図１や図９の脱臭具１０Ａ，１０Ｂのそれらよりも大きく、脱臭具１０Ｃを扇風機２５に取り付けたときに、脱臭具１０Ｂ（ポリウレタンフォーム１１）の外周縁部１６が扇風機２５の羽根２９の径方向先端部３９に位置する点にある。この脱臭具１０Ｃのその他の構成は、図１や図９の脱臭具１０Ａ，１０Ｂのそれと同一であるから、その説明は省略する。
【０１０７】
図１１に示す脱臭具１０Ｄが図１や図９のそれらと異なるところは、脱臭具１０Ｄの直径および面積が図１や図９の脱臭具１０Ａ，１０Ｂのそれらよりも大きく、脱臭具１０Ｄを扇風機２５に取り付けたときに、脱臭具１０Ｃ（ポリウレタンフォーム１１）の外周縁部１６が扇風機２５の羽根２９の径方向先端部３９と羽根２９の径方向の寸法を二分する二分線３８との間の部位の略径方向中央に位置する点にある。この脱臭具１０Ｄのその他の構成は、図１や図９の脱臭具１０Ａ，１０Ｂのそれと同一であるから、その説明は省略する。
【０１０８】
脱臭具１０Ｃ（脱臭具１０Ｃを取り付けた扇風機２５）や脱臭具１０Ｄ（脱臭具１０Ｄを取り付けた扇風機２５）は、図１の脱臭具１０Ａ（脱臭具１０Ａを取り付けた扇風機２５）や図９の脱臭具１０Ｂ（脱臭具１０Ｂを取り付けた扇風機２５）が有する効果に加え、以下の効果を有する。脱臭具１０Ｃ（脱臭具１０Ｃを取り付けた扇風機２５）や脱臭具１０Ｄ（脱臭具１０Ｄを取り付けた扇風機２５）は、脱臭具１０Ｃや脱臭具１０Ｄの面積を図１や図９の脱臭具１０Ａ，１０Ｂのそれよりも大きくすることで、脱臭具１０Ｃや脱臭具１０Ｄにおける脱臭機能を向上させることができ、脱臭具１０Ａ（脱臭具１０Ａを取り付けた扇風機２５）や脱臭具１０Ｂ（脱臭具１０Ｂを取り付けた扇風機２５）と比較し、空気に含まれる臭いを短時間に除去することができる。なお、脱臭具１０Ｃ，１０Ｄ（ポリウレタンフォーム１１）の外周縁部１６は、扇風機２５の羽根２９の径方向先端部３９と二分線３８との間に位置していればよい。
【０１０９】
図１２は、他の一例として示す脱臭具１０Ｅの正面図であり、図１３は、図１２の脱臭具１０Ｅの背面図である。図１４は、図１２のＡ−Ａ線矢視断面図であり、図１５，１６は、図１２の脱臭具１０Ｅを取り付けた扇風機２５の正面図である。図１７は、図１２の脱臭具１０Ｅを取り付けた扇風機２５の背面斜視図である。図１５では、前ガード２６および羽根２９の図示を省略している。図１２〜１４では、径方向を矢印Ｘ（図１２，１３のみ）、厚み方向を矢印Ｙ（図１４のみ）で示し、周り方向を矢印Ｚ（図１２，１３のみ）で示す。
【０１１０】
脱臭具１０Ｅは、図１のそれと同様に、扇風機２５（後ガード２８の直前、羽根２９の直後）に着脱可能に取り付けられ、扇風機２５を通過する空気に含まれる臭いや不純物の除去に好適に使用される。脱臭具１０Ｅは、活性炭粉末が所定のバインダーによって壁面１２に塗布され、壁面１２に活性炭の被覆層が形成された図１の脱臭具１０Ａと同様の軟質ポリウレタンフォーム１１から作られている。または、活性炭粉末を混入したフォーム原料を発泡させ、壁面１２に活性炭粉末が露出する図１の脱臭具１０Ａと同様の軟質ポリウレタンフォーム１１から作られている。
【０１１１】
活性炭粉末を塗布（固着）した軟質ポリウレタンフォーム１１や活性炭粉末を混入した軟質ポリウレタンフォーム１１は、連続気泡を有するとともに所定の厚みを有し、弾性変形可能かつ可撓性を有する。活性炭粉末は、図１の脱臭具１０Ａのポリウレタンフォーム１１に使用するそれと同一であり、フォーム原料に対する活性炭粉末の混合割合は、図１の脱臭具１０Ａのポリウレタンフォーム１１のそれと同一である。
【０１１２】
脱臭具１０Ｅ（ポリウレタンフォーム１１）は、円形の前面１３および円形の後面１４と、周り方向へ環状に延びる内周縁部１５および周り方向へ環状に延びる外周縁部１６と、円形の中央開口１７と、前後面１３，１４間（ポリウレタンフォーム１１の内部）に存在する複数の通気路１８と、通気路１８につながって前後面１３，１４に開口する複数の通気口１９とを有する。
【０１１３】
脱臭具１０Ｅ（ポリウレタンフォーム１１）は、その前面１３全域がフィルタ機能を有する通気性シート２０に包被され、その後面１４全域が複数の網目を有する通気性ネット２１（網）に包被されている。通気性シート２０や通気性ネット２１は、図１の脱臭具１０Ａに使用されたそれらと同一である。脱臭具１０Ｅは、ポリウレタンフォーム１１を支持する支持フレーム４０に着脱可能に設置されている。
【０１１４】
ポリウレタンフォーム１１の壁面１２に活性炭粉末が塗布されている場合、通気路１８を画成する壁面１２に活性炭の被覆層が形成され、ポリウレタンフォーム１１に活性炭粉末が混入されている場合、通気路１８を画成する壁面１２に活性炭が露出している。通気路１８は、厚み方向と径方向とへ不規則に曲折しながら延びている。厚み方向と径方向とへ隣接する通気路１８は、厚み方向や径方向おいて部分的に繋がり、一方の通気路１８と他方の通気路１８とが互いに連通している。それら通気路１８の開口面積は、厚み方向と径方向とに向かって不規則に変化し、通気路１８に繋がるそれら通気口１９は、その面積が相違している（図２援用）。
【０１１５】
ポリウレタンフォーム１１（脱臭具１０Ｅ）の厚み寸法は、３〜１０ｍｍ（好ましくは４〜６ｍｍ）の範囲にあり、ポリウレタンフォーム１１（脱臭具１０Ｅ）の質量は、３０〜６０ｇの範囲にある。厚み寸法をその範囲にする理由は、図１のポリウレタンフォーム１１（脱臭具１０Ａ）の理由と同一である。ポリウレタンフォーム１１の面速は、２０〜４０ｃｍ／ｓｅｃ（好ましくは２５〜３５ｃｍ／ｓｅｃ）の範囲にある。面速をその範囲にする理由は、図１のポリウレタンフォーム１１（脱臭具１０Ａ）の理由と同一である。
【０１１６】
脱臭具１０Ｅでは、ポリウレタンフォーム１１の径方向の寸法を二分する二分線２２と内周縁部１５との間に延びる内側領域２３または二分線２２と外周縁部１６との間に延びる外側領域２４のいずれかに、臭気成分やたばこ臭、ノネナール臭を酸化分解する脱臭触媒が塗布されていてもよい。脱臭触媒には、図１の脱臭具１０Ａにおいて説明したそれらと同一のものを使用することができる。
【０１１７】
支持フレーム４０は、脱臭具１０Ｅ（ポリウレタンフォーム１１）の前面１３の側（一方の面）であって通気性シート２０の外側に位置している。支持フレーム４０は、プラスチック板や金属板から作られ、内周縁部１５を支持する内周枠４１と、外周縁部１６を支持する外周枠４２と、内周枠４１と外周枠４２とに繋がって前面１３において径方向へ直状に延びる連結枠４３とを有する。支持フレーム４０では、内周枠４１と外周枠４２と連結枠４３とが一体成形されている。なお、図示はしていないが、支持フレーム４０が脱臭具１０Ｅ（ポリウレタンフォーム１１）の後面１４の側（一方の面）であって通気性ネット２１の外側に位置していてもよい。
【０１１８】
支持フレーム４０の内周枠４１は、脱臭具１０Ｅの前面１３において周り方向へ環状に延びている。支持フレーム４０の外周枠４２は、脱臭具１０Ｅの前面１３において周り方向へ環状に延びる第１外周枠４４と、第１外周枠４４から後面１４の側に向かって折れ曲がり、前面１３と後面１４との間において周り方向へ環状に延びる第２外周枠４５と、第２外周枠４５から後面１４に向かって折れ曲がり、後面１４において周り方向へ環状に延びる第３外周枠４６とを有する。外周枠４２（第１〜第３外周枠４４〜４６）は、通気性シート２０や通気性ネット２１を含む外周縁部１６を前面１３（一方の面）から後面１４（他方の面）に向かって包み込むように延びている。
【０１１９】
支持フレーム４０が後面１４の側に位置する場合、内周枠４１と外周枠４２とが後面１４において周り方向へ環状に延び、連結枠４３が後面１４において径方向へ直状に延びるとともに、外周枠４２（第１〜第３外周枠４４〜４６）が通気性シート２０や通気性ネット２１を含む外周縁部１６を後面１４（一方の面）から前面１３（他方の面）に向かって包み込むように延びる。
【０１２０】
脱臭具１０Ｅ（ポリウレタンフォーム１１）を支持フレーム４０に設置するには、外周縁部１６を支持フレーム４０の外周枠４２に嵌入させる。外周縁部１６を外周枠４２に嵌入させると、内周縁部１５において前面１３が内周枠４１に当接下に支持され、外周縁部１６において前後面１３，１４が外周枠４２に当接下に支持されるとともに、内周縁部１４と外周縁部１６とを除く残余部が連結枠４３に当接下に支持される。脱臭具１０Ｅ（ポリウレタンフォーム１１）を支持フレーム４０から取り外すには、外周縁部１６を支持フレーム４０の外周枠４２から抜き取り、外周縁部１６と外周枠４２との嵌合を解除する。
【０１２１】
脱臭具１０Ｅを扇風機２５に取り付ける手順は、図１の脱臭具１０Ａと同一である。脱臭具１０Ｅを扇風機２５に取り付けると、支持フレーム４０の内周枠４１がガード締付ナット３２と後ガード２８の内周部３５とに挟まれ、脱臭具１０Ｅが扇風機２５のモーターケース３３に固定される（図１５参照）。脱臭具１０Ｅを扇風機２５に取り付けると、脱臭具１０Ｅが後ガード２８と羽根２９との間に位置し、脱臭具１０Ｅ（ポリウレタンフォーム１１）の外周縁部１６が扇風機２５の羽根２９の径方向の寸法を二分する二分線３８の近傍に位置する（図１６参照）。
【０１２２】
なお、図１０に示すように、脱臭具１０Ｅ（ポリウレタンフォーム１１）の外周縁部１６が扇風機２５の羽根２９の径方向先端部３９に位置してもよく、図１１に示すように、脱臭具１０Ｅ（ポリウレタンフォーム１１）の外周縁部１６が羽根２９の径方向先端部３９と二分線３８との間の部位の径方向中央に位置してもよい。ただし、外周縁部１６は、径方向先端部３９と二分線３８との間に位置していればよい。
【０１２３】
扇風機２５に脱臭具１０Ｅを取り付けた後、扇風機２５のスイッチをＯＮにすると、空気が後ガード２８の後方から扇風機２５に進入する。後ガード２８から扇風機２５に進入した空気は、脱臭具１０Ｅに流入して厚み方向や径方向に曲折して延びる通気路１８の壁面１２に接触し、空気に含まれる臭気成分やたばこ臭、ノネナール臭が通気路１８に形成された活性炭粉末の被覆層や通気路１８の表面に露出する活性炭粉末に吸着される。臭気成分やたばこ臭、ノネナール臭が除去された無臭かつ清浄な空気が扇風機２５から送気される。なお、脱臭具１０Ｅ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の不純物がシート２０に捕集され（通気性シート２０がエレクトレット化されている場合、シートの静電作用によって空気に含まれる不純物がシート２０に効率よく捕集され）、塵埃や花粉、PM2.5等の不純物が除去された空気が羽根２９に進入する。
【０１２４】
脱臭具１０Ｅ（脱臭具１０Ｅを取り付けた扇風機２５）は、図１の脱臭具１０Ａ（脱臭具１０Ａを取り付けた扇風機２５）が有する効果に加え、以下の効果を有する。脱臭具１０Ｅ（脱臭具１０Ｅを取り付けた扇風機２５）は、支持フレーム４０の外周枠４２が通気性シート２０や通気性ネット２１を含む外周縁部１６を保持するから、脱臭具１０Ｅ（ポリウレタンフォーム１１）が支持フレーム４０に遊動不能に据え付けられ、支持フレーム４０からの脱臭具１０Ｅの脱落を防ぐことができ、支持フレーム４０の内周枠４１を介して脱臭具１０Ｅ（ポリウレタンフォーム１１）を扇風機２５の後ガード２８と羽根２９との間に確実に設置することができる。脱臭具１０Ｅ（脱臭具１０Ｅを取り付けた扇風機２５）は、支持フレーム４０によって扇風機２５の稼働中における脱臭具１０Ｅ（ポリウレタンフォーム１１）の不用意な動きを防ぐことができ、脱臭具１０Ｅの扇風機２５の羽根２９への接触を防ぐことができる。
【０１２５】
図１８は、他の一例として示す脱臭具１０Ｆの斜視図である。図１８では、脱臭具１０Ｆを後面１４の側から示す。るしをこうを図１８に示す脱臭具１０Ｆが図１２のそれと異なるところは、脱臭具１０Ｆ（ポリウレタンフォーム１１）の前面全域１３（図１２参照）と後面１４全域とがフィルタ機能を有する通気性シート２０に包被されている点にある。この脱臭具１０Ｆのその他の構成は、図１２の脱臭具１０Ｅのそれと同一であるから、その説明は省略する。通気性シート２０には、粗塵用フィルタ、中高性能フィルタ、ＨＥＰＡフィルタ、ＵＬＰＡフィルタのうちのいずれかが使用されている。
【０１２６】
脱臭具１０Ｆ（脱臭具１０Ｆを取り付けた扇風機２５）は、図１の脱臭具１０Ａ（脱臭具１０Ａを取り付けた扇風機２５）や図１２の脱臭具１０Ｅ（脱臭具１０Ｅを取り付けた扇風機２５）が有する効果に加え、以下の効果を有する。脱臭具１０Ｆ（脱臭具１０Ｆを取り付けた扇風機２５）は、その前面１３全域と後面１４全域とがフィルタ機能を有する通気性シート２０に包被されているから、扇風機２５に進入した空気に含まれる微細な塵埃や花粉、PM2.5等の不純物をそれらシート２０によって除去することができ、それら不純物を除去した空気を作ることができ、扇風機２５による送風と同時に不純物を除去した空気を扇風機２５から送気することができる。また、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｆ（活性炭粉末）の臭気吸着機能の低下を防ぐことができる。
【０１２７】
図１９は、他の一例として示す脱臭具１０Ｇの正面図であり、図２０は、図１９の脱臭具１０Ｇの背面図である。図２１は、図１９のＢ−Ｂ線矢視断面図である。図１９〜２１では、径方向を矢印Ｘ（図１９，２０のみ）、厚み方向を矢印Ｙ（図２１のみ）で示し、周り方向を矢印Ｚ（図１９，２０のみ）で示す。脱臭具１０Ｇは、図１のそれと同様に、扇風機２５（後ガード２８の直前、羽根２９の直後）に着脱可能に取り付けられ、扇風機２５を通過する空気に含まれる臭いや不純物の除去に好適に使用される。
【０１２８】
脱臭具１０Ｇは、活性炭粉末が所定のバインダーによって壁面１２に塗布され、壁面１２に活性炭の被覆層が形成された図１の脱臭具１０Ａと同様の軟質ポリウレタンフォーム１１から作られている。または、活性炭粉末を混入したフォーム原料を発泡させ、壁面１２に活性炭が露出する図１の脱臭具１０Ａと同様の軟質ポリウレタンフォーム１１から作られている。
【０１２９】
活性炭粉末を塗布した軟質ポリウレタンフォーム１１や活性炭粉末を混入した軟質ポリウレタンフォーム１１は、連続気泡を有するとともに所定の厚みを有し、弾性変形可能かつ可撓性を有する。活性炭粉末は、図１の脱臭具１０Ａのポリウレタンフォーム１１に使用するそれと同一であり、フォーム原料に対する活性炭粉末の混合割合は、図１の脱臭具１０Ａのポリウレタンフォーム１１のそれと同一である。
【０１３０】
ポリウレタンフォーム１１（脱臭具１０Ｇ）の厚み寸法は、３〜１０ｍｍ（好ましくは４〜６ｍｍ）の範囲にあり、ポリウレタンフォーム１１（脱臭具１０Ｇ）の質量は、３０〜６０ｇの範囲にある。厚み寸法をその範囲にする理由は、図１のポリウレタンフォーム１１（脱臭具１０Ａ）の理由と同一である。ポリウレタンフォーム１１の面速は、２０〜４０ｃｍ／ｓｅｃ（好ましくは２５〜３５ｃｍ／ｓｅｃ）の範囲にある。面速をその範囲にする理由は、図１のポリウレタンフォーム１１（脱臭具１０Ａ）の理由と同一である。
【０１３１】
脱臭具１０Ｇ（ポリウレタンフォーム１１）は、円形の前面１３および円形の後面１４と、周り方向へ環状に延びる内周縁部１５および周り方向へ環状に延びる外周縁部１６と、円形の中央開口１７と、前後面１３，１４間（ポリウレタンフォーム１１の内部）に存在する複数の通気路１８と、通気路１８につながって前後面１３，１４に開口する複数の通気口１９とを有する。
【０１３２】
脱臭具１０Ｇ（ポリウレタンフォーム１１）は、その前面１３全域がフィルタ機能を有する通気性シート２０に包被され、その後面１４全域が複数の網目を有する通気性ネット２１（網）に包被されている。通気性シート２０や通気性ネット２１は、図１の脱臭具１０Ａに使用されたそれらと同一である。脱臭具１０Ｇは、ポリウレタンフォーム１１を支持する支持フレーム４７に着脱可能に設置されている。
【０１３３】
通気路１８は、厚み方向と径方向とへ不規則に曲折しながら延びている。厚み方向と径方向とへ隣接する通気路１８は、厚み方向や径方向おいて部分的に繋がり、一方の通気路１８と他方の通気路１８とが互いに連通している。それら通気路１８の開口面積は、厚み方向と径方向とに向かって不規則に変化し、通気路１８に繋がるそれら通気口１９は、その面積が相違している（図２援用）。
【０１３４】
脱臭具１０Ｇでは、ポリウレタンフォーム１１の径方向の寸法を二分する二分線２２と内周縁部１５との間に延びる内側領域２３または二分線２２と外周縁部１６との間に延びる外側領域２４のいずれかに、臭気成分やたばこ臭、ノネナール臭を酸化分解する脱臭触媒が塗布されていてもよい。脱臭触媒には、図１の脱臭具１０Ａにおいて説明したそれらと同一のものを使用することができる。
【０１３５】
支持フレーム４７は、脱臭具１０Ｇ（ポリウレタンフォーム１１）の前面１３の側（一方の面）であって通気性シート２０の外側に位置している。支持フレーム４７は、プラスチック板や金属板から作られ、内周縁部１５を支持する内周枠４８と、外周縁部１６を支持する外周枠４９と、内周枠４８と外周枠４９とに繋がって径方向へ直状に延びる連結枠５０とを有する。支持フレーム４７では、内周枠４８と外周枠４９と連結枠５０とが一体成形されている。なお、図示はしていないが、支持フレーム４７が脱臭具１０Ｇ（ポリウレタンフォーム１１）の後面１４の側（一方の面）であって通気性ネット２１の外側に位置していてもよい。
【０１３６】
支持フレーム４７の内周枠４８は、脱臭具１０Ｇ（ポリウレタンフォーム１１）の前面１３において周り方向へ環状に延びる第１内周枠５１と、第１内周枠５１から後面１４の側に向かって折れ曲がり、前面１３と後面１４との間において周り方向へ環状に延びる第２内周枠５２と、第２内周枠５２から後面１４に向かって折れ曲がり、後面１４において周り方向へ環状に延びる第３内周枠５３とを有する。内周枠４８（第１〜第３内周枠５１〜５３）は、通気性シート２０や通気性ネット２１を含む内周縁部１５を前面１３（一方の面）から後面１６（他方の面）に向かって包み込むように延びている。
【０１３７】
支持フレーム４７の外周枠４９は、脱臭具１０Ｇ（ポリウレタンフォーム１１）の前面１３において周り方向へ環状に延びる第１外周枠５４と、第１外周枠５４から後面１４の側に向かって折れ曲がり、前面１３と後面１４との間において周り方向へ環状に延びる第２外周枠５５と、第２外周枠５５から後面１４に向かって折れ曲がり、後面１４において周り方向へ環状に延びる第３外周枠５６とを有する。外周枠４９（第１〜第３外周枠５４〜５６）は、通気性シート２０や通気性ネット２１を含む外周縁部１６を前面１３（一方の面）から後面１４（他方の面）に向かって包み込むように延びている。
【０１３８】
支持フレーム４７が後面１４の側に位置する場合、内周枠４８と外周枠４９とが脱臭具１０Ｇ（ポリウレタンフォーム１１）の後面１４において周り方向へ環状に延びるとともに、連結枠５０が脱臭具１０Ｇ（ポリウレタンフォーム１１）の後面１４において径方向へ直状に延びる。さらに、内周枠４８（第１〜第３内周枠５１〜５３）が通気性シート２０や通気性ネット２１を含む内周縁部１５を後面１４（一方の面）から前面１３（他方の面）に向かって包み込むように延びるとともに、外周枠４９（第１〜第３外周枠５４〜５６）が通気性シート２０や通気性ネット２１を含む外周縁部１６を後面１４（一方の面）から前面１３（他方の面）に向かって包み込むように延びる。
【０１３９】
脱臭具１０Ｇ（ポリウレタンフォーム１１）を支持フレーム４７に設置するには、内周縁部１５を支持フレーム４７の内周枠４８に嵌入させるとともに、外周縁部１６を支持フレーム４７の外周枠４９に嵌入させる。内周縁部１５を内周枠４８に嵌入させ、外周縁部１６を外周枠４９に嵌入させると、内周縁部１５において脱臭具１０Ｇ（ポリウレタンフォーム１１）の前後面１３，１４が内周枠４８に当接下に支持され、外周縁部１６において脱臭具１０Ｇ（ポリウレタンフォーム１１）の前後面１３，１４が外周枠４９に当接下に支持されるとともに、内周縁部１５と外周縁部１６とを除く残余部が連結枠５０に当接下に支持される。
【０１４０】
脱臭具１０Ｇ（ポリウレタンフォーム１１）を支持フレーム４７から取り外すには、内周縁部１５を支持フレーム４７の内周枠４８から抜き取り、内周縁部１５と内周枠４８との嵌合を解除するとともに、外周縁部１６を支持フレーム４７の外周枠４９から抜き取り、外周縁部１６と外周枠４９との嵌合を解除する。
【０１４１】
脱臭具１０Ｇを扇風機２５に取り付ける手順は、図１の脱臭具１０Ａと同一である。脱臭具１０Ｇを扇風機２５に取り付けると、支持フレーム４７の内周枠４８がガード締付ナット３２と後ガード２８の内周部３５とに挟まれ、脱臭具１０Ｇが扇風機２５のモーターケース３３に固定される（図１５援用）。脱臭具１０Ｇを扇風機２５に取り付けると、脱臭具１０Ｇが後ガード２８と羽根２９との間に位置し、脱臭具１０Ｇ（ポリウレタンフォーム１１）の外周縁部１６が扇風機２５の羽根２９の径方向の寸法を二分する二分線３８の近傍に位置する（図１６援用）。
【０１４２】
なお、図１０に示すように、脱臭具１０Ｇ（ポリウレタンフォーム１１）の外周縁部１６が扇風機２５の羽根２９の径方向先端部３９に位置してもよく、図１１に示すように、脱臭具１０Ｇ（ポリウレタンフォーム１１）の外周縁部１６が羽根２９の径方向先端部３９と二分線３８との間の部位の径方向中央に位置してもよい。ただし、外周縁部１６は、径方向先端部３９と二分線３８との間に位置していればよい。
【０１４３】
扇風機２５に脱臭具１０Ｇを取り付けた後、扇風機２５のスイッチをＯＮにすると、空気が後ガード２８の後方から扇風機２５に進入する。後ガード２８から扇風機２５に進入した空気は、脱臭具１０Ｇに流入して厚み方向や径方向に曲折して延びる通気路１８の壁面１２に接触し、空気に含まれる臭気成分やたばこ臭、ノネナール臭が通気路１８に形成された活性炭粉末の被覆層や通気路１８の表面に露出する活性炭粉末に吸着される。臭気成分やたばこ臭、ノネナール臭が除去された無臭かつ清浄な空気が扇風機２５から送気される。なお、脱臭具１０Ｇ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の不純物がシート２０に捕集され（通気性シート２０がエレクトレット化されている場合、シートの静電作用によって空気に含まれる不純物がシート２０に効率よく捕集され）、塵埃や花粉、PM2.5等の不純物が除去された空気が羽根２９に進入する。
【０１４４】
脱臭具１０Ｇ（脱臭具１０Ｇを取り付けた扇風機２５）は、図１の脱臭具１０Ａ（脱臭具１０Ａを取り付けた扇風機２５）が有する効果に加え、以下の効果を有する。脱臭具１０Ｇ（脱臭具１０Ｇを取り付けた扇風機２５）は、支持フレーム４７の内周枠４８が通気性シート２０や通気性ネット２１を含む内周縁部１５を保持するとともに、外周枠４９がシート２０やネット２１を含む外周縁部１６を保持するから、脱臭具１０Ｇ（ポリウレタンフォーム１１）が支持フレーム４７に遊動不能に据え付けられ、支持フレーム４７からの脱臭具１０Ｇの脱落を防ぐことができ、支持フレーム４７の内周枠４８を介して脱臭具１０Ｇを扇風機２５の後ガード２８と羽根２９との間に確実に設置することができる。脱臭具１０Ｇ（脱臭具１０Ｇを取り付けた扇風機２５）は、支持フレーム４７によって扇風機２５の稼働中における脱臭具１０Ｇ（ポリウレタンフォーム１１）の不用意な動きを防ぐことができ、脱臭具１０Ｇの扇風機２５の羽根２９への接触を防ぐことができる。
【０１４５】
図２２は、他の一例として示す脱臭具１０Ｈの斜視図である。図２２では、脱臭具１０Ｈを後面１４の側から示す。るしをこうを図２２に示す脱臭具１０Ｈが図１９のそれと異なるところは、脱臭具１０Ｈ（ポリウレタンフォーム１１）の前面全域１３（図１９参照）と後面１４全域とがフィルタ機能を有する通気性シート２０に包被されている点にある。この脱臭具１０Ｈのその他の構成は、図１９の脱臭具１０Ｆのそれと同一であるから、その説明は省略する。通気性シート２０には、粗塵用フィルタ、中高性能フィルタ、ＨＥＰＡフィルタ、ＵＬＰＡフィルタのうちのいずれかが使用されている。
【０１４６】
脱臭具１０Ｈ（脱臭具１０Ｈを取り付けた扇風機２５）は、図１の脱臭具１０Ａ（脱臭具１０Ａを取り付けた扇風機２５）や図１９の脱臭具１０Ｆ（脱臭具１０Ｆを取り付けた扇風機２５）が有する効果に加え、以下の効果を有する。脱臭具１０Ｈ（脱臭具１０Ｈを取り付けた扇風機２５）は、その前面１３全域と後面１４全域とがフィルタ機能を有する通気性シート２０に包被されているから、扇風機２５に進入した空気に含まれる微細な塵埃や花粉、PM2.5等の不純物をそれらシート２０によって除去することができ、それら不純物を除去した空気を作ることができ、扇風機２５による送風と同時に不純物を除去した空気を扇風機２５から送気することができる。また、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｈ（活性炭粉末）の臭気吸着機能の低下を防ぐことができる。
【０１４７】
図２３は、他の一例として示す脱臭具１０Ｉの正面図であり、図２４は、図２３の脱臭具１０Ｉの背面図である。図２５は、図２３のＣ−Ｃ線矢視断面図であり、図２６，２７は、図２３の脱臭具１０Ｉを取り付けた扇風機２５の正面図である。図２８は、図２３の脱臭具１０Ｉを取り付けた扇風機２５の背面斜視図である。図２６では、前ガード２６および羽根２９の図示を省略し、図２７では、前ガード２６の図示を省略している。図２３〜２５では、径方向を矢印Ｘ（図２３，２４のみ）、厚み方向を矢印Ｙ（図２５のみ）で示し、周り方向を矢印Ｚ（図２３，２４のみ）で示す。
【０１４８】
脱臭具１０Ｉは、図１のそれと同様に、扇風機２５（後ガード２８の直前、羽根２９の直後）に着脱可能に取り付けられ、扇風機２５を通過する空気に含まれる臭いや不純物の除去に好適に使用される。脱臭具１０Ｉは、活性炭粉末が所定のバインダーによって壁面１２に塗布され、壁面１２に活性炭の被覆層が形成された図１の脱臭具１０Ａと同様の軟質ポリウレタンフォーム１１から作られている。または、活性炭粉末を混入したフォーム原料を発泡させ、壁面１２に活性炭が露出する図１の脱臭具１０Ａと同様の軟質ポリウレタンフォーム１１から作られている。
【０１４９】
活性炭粉末を塗布した軟質ポリウレタンフォーム１１や活性炭粉末を混入した軟質ポリウレタンフォーム１１は、連続気泡を有するとともに所定の厚みを有し、弾性変形可能かつ可撓性を有する。活性炭粉末は、図１の脱臭具１０Ａのポリウレタンフォーム１１に使用するそれと同一であり、フォーム原料に対する活性炭粉末の混合割合は、図１の脱臭具１０Ａのポリウレタンフォーム１１のそれと同一である。
【０１５０】
ポリウレタンフォーム１１（脱臭具１０Ｉ）の厚み寸法は、３〜１０ｍｍ（好ましくは４〜６ｍｍ）の範囲にあり、ポリウレタンフォーム１１（脱臭具１０Ｉ）の質量は、３０〜６０ｇの範囲にある。厚み寸法をその範囲にする理由は、図１のポリウレタンフォーム１１（脱臭具１０Ａ）の理由と同一である。ポリウレタンフォーム１１の面速は、２０〜４０ｃｍ／ｓｅｃ（好ましくは２５〜３５ｃｍ／ｓｅｃ）の範囲にある。面速をその範囲にする理由は、図１のポリウレタンフォーム１１（脱臭具１０Ａ）の理由と同一である。
【０１５１】
脱臭具１０Ｉ（ポリウレタンフォーム１１）は、円形の前面１３および円形の後面１４と、周り方向へ環状に延びる内周縁部１５および周り方向へ環状に延びる外周縁部１６と、円形の中央開口１７と、前後面１３，１４間（ポリウレタンフォーム１１の内部）に存在する複数の通気路１８と、通気路１８につながって前後面１３，１４に開口する複数の通気口１９とを有する。脱臭具１０Ｉ（ポリウレタンフォーム１１）は、その前面１３全域がフィルタ機能を有する通気性シート２０に包被され、その後面１４全域が複数の網目を有する通気性ネット２１（網）に包被されている。通気性シート２０や通気性ネット２１は、図１の脱臭具１０Ａに使用されたそれらと同一である。
【０１５２】
通気路１８は、厚み方向と径方向とへ不規則に曲折しながら延びている。厚み方向と径方向とへ隣接する通気路１８は、厚み方向や径方向おいて部分的に繋がり、一方の通気路１８と他方の通気路１８とが互いに連通している。それら通気路１８の開口面積は、厚み方向と径方向とに向かって不規則に変化し、通気路１８に繋がるそれら通気口１９は、その面積が相違している（図２援用）。
【０１５３】
脱臭具１０Ｉでは、ポリウレタンフォーム１１の径方向の寸法を二分する二分線２２と内周縁部１５との間に延びる内側領域２３または二分線２２と外周縁部１６との間に延びる外側領域２４のいずれかに、臭気成分やたばこ臭、ノネナール臭を酸化分解する脱臭触媒が塗布されていてもよい。脱臭触媒には、図１の脱臭具１０Ａにおいて説明したそれらと同一のものを使用することができる。
【０１５４】
脱臭具１０Ｉ（ポリウレタンフォーム１１）は、支持フレーム５７に支持されている。支持フレーム５７は、脱臭具１０Ｉ（ポリウレタンフォーム１１）の前面１３の側に位置する第１支持フレーム５８と、脱臭具１０Ｉ（ポリウレタンフォーム１１）の後面１４の側に位置する第２支持フレーム５９とから形成されている。第１支持フレーム５８は、前面１３と通気性シート２０との間に介在し、第２支持フレーム５９は、後面１４と通気性ネット２１との間に介在している。
【０１５５】
第１および第２支持フレーム５８，５９は、プラスチック板や金属板から作られ、脱臭具１０Ｉ（ポリウレタンフォーム１１）の内周縁部１５を支持する内周枠６０と、脱臭具１０Ｉ（ポリウレタンフォーム１１）の外周縁部１６を支持する外周枠６１と、内周枠６０と外周枠６１とに繋がって径方向へ直状に延びる連結枠６２とを有する。
【０１５６】
第１支持フレーム５８の内周枠６０は、前面１３の内周縁部１５において周り方向へ環状に延び、第１支持フレーム５８の外周枠６１は、前面１３の外周縁部１７において周り方向へ環状に延びている。第２支持フレーム５９の内周枠６０は、後面１４の内周縁部１６において周り方向へ環状に延び、第２支持フレーム５９の外周枠６１は、後面１４の外周縁部１６において周り方向へ環状に延びている。第１および第２支持フレーム５８，５９では、内周枠６０と外周枠６１と連結枠６２とが一体成形されている。
【０１５７】
脱臭具１０Ｉでは、内周縁部１５において脱臭具１０Ｉ（ポリウレタンフォーム１１）の前後面１３，１４が第１および第２支持フレーム５８，５９の内周枠６０に当接下に支持され、外周縁部１６において脱臭具１０Ｉ（ポリウレタンフォーム１１）の前後面１３，１４が第１および第２支持フレーム５８，５９の外周枠６１に当接下に支持されるとともに、内周縁部１５と外周縁部１６とを除く残余部が第１および第２支持フレーム５８，５９の連結枠６２に当接下に支持される。
【０１５８】
脱臭具１０Ｉを扇風機２５に取り付ける手順は、図１の脱臭具１０Ａと同一である。脱臭具１０Ｉを扇風機２５に取り付けると、第１支持フレーム５８の内周枠６０がガード締付ナット３２と後ガード２８の内周部３５とに挟まれ、脱臭具１０Ｉが扇風機２５のモーターケース３３に固定される（図２６参照）。脱臭具１０Ｉを扇風機２５に取り付けると、脱臭具１０Ｉが後ガード２８と羽根２９との間に位置し、脱臭具１０Ｉ（ポリウレタンフォーム１１）の外周縁部１６が扇風機２５の羽根２９の径方向の寸法を二分する二分線３８の近傍に位置する（図２７参照）。
【０１５９】
なお、図１０に示すように、脱臭具１０Ｉ（ポリウレタンフォーム１１）の外周縁部１６が扇風機２５の羽根２９の径方向先端部３９に位置してもよく、図１１に示すように、脱臭具１０Ｉ（ポリウレタンフォーム１１）の外周縁部１６が羽根２９の径方向先端部３９と二分線３８との間の部位の径方向中央に位置してもよい。ただし、外周縁部１６は、径方向先端部３９と二分線３８との間に位置していればよい。
【０１６０】
扇風機２５に脱臭具１０Ｉを取り付けた後、扇風機２５のスイッチをＯＮにすると、空気が後ガード２８の後方から扇風機２５に進入する。後ガード２８から扇風機２５に進入した空気は、脱臭具１０Ｉに流入して厚み方向や径方向に曲折して延びる通気路１９の壁面１２に接触し、空気に含まれる臭気成分やたばこ臭、ノネナール臭が通気路１８に形成された活性炭粉末の被覆層や通気路１８の表面に露出する活性炭粉末に吸着される。臭気成分やたばこ臭、ノネナール臭が除去された無臭かつ清浄な空気が扇風機２５から送気される。なお、脱臭具１０Ｉ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の不純物がシート２０に捕集され（通気性シート２０がエレクトレット化されている場合、シートの静電作用によって空気に含まれる不純物がシート２０に効率よく捕集され）、塵埃や花粉、PM2.5等の不純物が除去された空気が羽根２９に進入する。
【０１６１】
脱臭具１０Ｉ（脱臭具１０Ｉを取り付けた扇風機２５）は、図１の脱臭具１０Ａ（脱臭具１０Ａを取り付けた扇風機２５）が有する効果に加え、以下の効果を有する。脱臭具１０Ｉ（脱臭具１０Ｉを取り付けた扇風機２５）は、第１および第２支持フレーム５８，５９が通気性シート２０や通気性ネット２１とポリウレタンフォーム１１との間に位置することで、支持フレーム５８，５９がシート２０やネット２１とポリウレタンフォーム１１とに支持されるとともに、前面１３が第１支持フレーム５８の内周枠６０や外周枠６１、連結枠６２によって支持され、後面１４が第２支持フレーム５９の内周枠６０や外周枠６１、連結枠６２によって支持されるから、第１および第２支持フレーム５８，５９によって扇風機２５の稼働中における脱臭具１０Ｉ（ポリウレタンフォーム１１）の不用意な動きを防ぐことができ、脱臭具１０Ｉ（ポリウレタンフォーム１１）の扇風機２５の羽根２９への接触を防ぐことができる。脱臭具１０Ｉ（脱臭具１０Ｉを取り付けた扇風機２５）は、支持フレーム５８の内周枠６０を介して脱臭具１０Ｉ（ポリウレタンフォーム１１）を扇風機２５の螺子パイプ３４に確実に固定することができ、支持フレーム５８によって脱臭具１０Ｉ（ポリウレタンフォーム１１）を扇風機２５の後ガード２８と羽根２９との間に設置することができる。
【０１６２】
図２９は、他の一例として示す脱臭具１０Ｊの斜視図である。図２９では、脱臭具１０Ｊを後面１４の側から示す。るしをこうを図２９に示す脱臭具１０Ｊが図２３のそれと異なるところは、脱臭具１０Ｊ（ポリウレタンフォーム１１）の前面全域１３（図２３参照）と後面１４全域とがフィルタ機能を有する通気性シート２０に包被されている点にある。この脱臭具１０Ｊのその他の構成は、図２３の脱臭具１０Ｉのそれと同一であるから、その説明は省略する。通気性シート２０には、粗塵用フィルタ、中高性能フィルタ、ＨＥＰＡフィルタ、ＵＬＰＡフィルタのうちのいずれかが使用されている。
【０１６３】
脱臭具１０Ｊ（脱臭具１０Ｊを取り付けた扇風機２５）は、図１の脱臭具１０Ａ（脱臭具１０Ａを取り付けた扇風機２５）や図２３の脱臭具１０Ｉ（脱臭具１０Ｉを取り付けた扇風機２５）が有する効果に加え、以下の効果を有する。脱臭具１０Ｊ（脱臭具１０Ｊを取り付けた扇風機２５）は、その前面１３全域と後面１４全域とがフィルタ機能を有する通気性シート２０に包被されているから、扇風機２５に進入した空気に含まれる微細な塵埃や花粉、PM2.5等の不純物をそれらシート２０によって除去することができ、それら不純物を除去した空気を作ることができ、扇風機２５による送風と同時に不純物を除去した空気を扇風機２５から送気することができる。また、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｊ（活性炭粉末）の臭気吸着機能の低下を防ぐことができる。
【０１６４】
図３０は、他の一例として示す脱臭具１０Ｋの正面図であり、図３１は、図３０の脱臭具１０Ｋの背面図である。図３２は、図３０のＤ−Ｄ線矢視断面図である。図３０〜３２では、径方向を矢印Ｘ（図３０，３１のみ）、厚み方向を矢印Ｙ（図３２のみ）で示し、周り方向を矢印Ｚ（図３０，３１のみ）で示す。脱臭具１０Ｋは、図１のそれと同様に、扇風機２５（後ガード２８の直前、羽根２９の直後）に着脱可能に取り付けられ、扇風機２５を通過する空気に含まれる臭いや不純物の除去に好適に使用される。
【０１６５】
脱臭具１０Ｋは、活性炭粉末が所定のバインダーによって壁面１２に塗布され、壁面１２に活性炭の被覆層が形成された図１の脱臭具１０Ａと同様の軟質ポリウレタンフォーム１１から作られている。または、活性炭粉末を混入したフォーム原料を発泡させ、壁面１２に活性炭が露出する図１の脱臭具１０Ａと同様の軟質ポリウレタンフォーム１１から作られている。
【０１６６】
活性炭粉末を塗布した軟質ポリウレタンフォーム１１や活性炭粉末を混入した軟質ポリウレタンフォーム１１は、連続気泡を有するとともに所定の厚みを有し、弾性変形可能かつ可撓性を有する。活性炭粉末は、図１の脱臭具１０Ａのポリウレタンフォーム１１に使用するそれと同一であり、フォーム原料に対する活性炭粉末の混合割合は、図１の脱臭具１０Ａのポリウレタンフォーム１１のそれと同一である。
【０１６７】
ポリウレタンフォーム１１（脱臭具１０Ｋ）の厚み寸法は、３〜１０ｍｍ（好ましくは４〜６ｍｍ）の範囲にあり、ポリウレタンフォーム１１（脱臭具１０Ｋ）の質量は、３０〜６０ｇの範囲にある。厚み寸法をその範囲にする理由は、図１のポリウレタンフォーム１１（脱臭具１０Ａ）の理由と同一である。ポリウレタンフォーム１１の面速は、２０〜４０ｃｍ／ｓｅｃ（好ましくは２５〜３５ｃｍ／ｓｅｃ）の範囲にある。面速をその範囲にする理由は、図１のポリウレタンフォーム１１（脱臭具１０Ａ）の理由と同一である。
【０１６８】
脱臭具１０Ｋ（ポリウレタンフォーム１１）は、円形の前面１３および円形の後面１４と、周り方向へ環状に延びる内周縁部１５および周り方向へ環状に延びる外周縁部１６と、円形の中央開口１７と、前後面１３，１４間（ポリウレタンフォーム１１の内部）に存在する複数の通気路１８と、通気路１８につながって前後面１３，１４に開口する複数の通気口１９とを有する。脱臭具１０Ｋ（ポリウレタンフォーム１１）は、その前面１３全域がフィルタ機能を有する通気性シート２０に包被され、その後面１４全域が複数の網目を有する通気性ネット２１（網）に包被されている。通気性シート２０や通気性ネット２１は、図１の脱臭具１０Ａに使用されたそれらと同一である。
【０１６９】
通気路１８は、厚み方向と径方向とへ不規則に曲折しながら延びている。厚み方向と径方向とへ隣接する通気路１８は、厚み方向や径方向おいて部分的に繋がり、一方の通気路１８と他方の通気路１８とが互いに連通している。それら通気路１８の開口面積は、厚み方向と径方向とに向かって不規則に変化し、通気路１８に繋がるそれら通気口１９は、その面積が相違している（図２援用）。
【０１７０】
脱臭具１０Ｋでは、ポリウレタンフォーム１１の径方向の寸法を二分する二分線２２と内周縁部１５との間に延びる内側領域２３または二分線２２と外周縁部１６との間に延びる外側領域２４のいずれかに、臭気成分やたばこ臭、ノネナール臭を酸化分解する脱臭触媒が塗布されていてもよい。脱臭触媒には、図１の脱臭具１０Ａにおいて説明したそれらと同一のものを使用することができる。
【０１７１】
脱臭具１０Ｋ（ポリウレタンフォーム１１）と通気性シート２０との間には、ポリウレタンフォーム１１を支持する支持フレーム６３が介在している。支持フレーム６３は、脱臭具１０Ｋ（ポリウレタンフォーム１１）の前面１３（一方の面）の側に位置し、前面１３と通気性シート２０との間に介在している。支持フレーム６３は、プラスチック板や金属板から作られ、脱臭具１０Ｋ（ポリウレタンフォーム１１）の内周縁部１５を支持する内周枠６４と、脱臭具１０Ｋ（ポリウレタンフォーム１１）の外周縁部１６を支持する外周枠６５と、内周枠６４と外周枠６５とに繋がって前面１３において径方向へ直状に延びる連結枠６６とを有する。支持フレーム６３の内周枠６４と外周枠６５とは、脱臭具１０Ｋ（ポリウレタンフォーム１１）の前面１３において周り方向へ環状に延びている。支持フレーム６３では、内周枠６４と外周枠６５と連結枠６６とが一体成形されている。
【０１７２】
なお、図示はしていないが、支持フレーム６３が脱臭具１０Ｋ（ポリウレタンフォーム１１）の後面１４（一方の面）の側に位置し、後面１４と通気性ネット２１との間に介在していてもよい。支持フレーム６３が後面１４と通気性ネット２１との間に介在する場合、内周枠６４と外周枠６５とが脱臭具１０Ｋ（ポリウレタンフォーム１１）の後面１４において周り方向へ環状に延び、連結枠６６が脱臭具１０Ｋ（ポリウレタンフォーム１１）の後面１４において径方向へ直状に延びる。
【０１７３】
脱臭具１０Ｋでは、内周縁部１５において脱臭具１０Ｋ（ポリウレタンフォーム１１）の前面１３が支持フレーム６３の内周枠６４に当接下に支持され、外周縁部１６において脱臭具１０Ｋ（ポリウレタンフォーム１１）の前面１３が支持フレーム６３の外周枠６５に当接下に支持されるとともに、内周縁部１５と外周縁部１６とを除く残余部が支持フレーム６３の連結枠６６に当接下に支持される。
【０１７４】
脱臭具１０Ｋを扇風機２５に取り付ける手順は、図１の脱臭具１０Ａと同一である。脱臭具１０Ｋを扇風機２５に取り付けると、支持フレーム６３の内周枠６４がガード締付ナット２１と後ガード２８の内周部３５とに挟まれ、脱臭具１０Ｋが扇風機２５のモーターケース３３に固定される（図２６援用）。脱臭具１０Ｋを扇風機２５に取り付けると、脱臭具１０Ｋが後ガード２８と羽根２９との間に位置し、脱臭具１０Ｋ（ポリウレタンフォーム１１）の外周縁部１６が扇風機２５の羽根２９の径方向の寸法を二分する二分線３８の近傍に位置する（図２７援用）。
【０１７５】
なお、図１０に示すように、脱臭具１０Ｋ（ポリウレタンフォーム１１）の外周縁部１６が扇風機２５の羽根２９の径方向先端部３９に位置してもよく、図１１に示すように、脱臭具１０Ｋ（ポリウレタンフォーム１１）の外周縁部１６が羽根２９の径方向先端部３９と二分線３８との間の部位の径方向中央に位置してもよい。ただし、外周縁部１６は、径方向先端部３９と二分線３８との間に位置していればよい。
【０１７６】
扇風機２５に脱臭具１０Ｋを取り付けた後、扇風機２５のスイッチをＯＮにすると、空気が後ガード２８の後方から扇風機２５に進入する。後ガード２８から扇風機２５に進入した空気は、脱臭具１０Ｋに流入して厚み方向や径方向に曲折して延びる通気路１８の壁面１２に接触し、空気に含まれる臭気成分やたばこ臭、ノネナール臭が通気路１８に形成された活性炭粉末の被覆層や通気路１８の表面に露出する活性炭粉末に吸着される。臭気成分やたばこ臭、ノネナール臭が除去された無臭かつ清浄な空気が扇風機２５から送気される。なお、脱臭具１０Ｋ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の不純物がシート２０に捕集され（通気性シート２０がエレクトレット化されている場合、シートの静電作用によって空気に含まれる不純物がシート２０に効率よく捕集され）、塵埃や花粉、PM2.5等の不純物が除去された空気が羽根２９に進入する。
【０１７７】
脱臭具１０Ｋ（脱臭具１０Ｋを取り付けた扇風機２５）は、図１の脱臭具１０Ａ（脱臭具１０Ａを取り付けた扇風機２５）が有する効果に加え、以下の効果を有する。脱臭具１０Ｋ（脱臭具１０Ｋを取り付けた扇風機２５）は、支持フレーム６３がポリウレタンフォーム１１と通気性シート２０との間に位置することで、支持フレーム６３がポリウレタンフォーム１１とシート２０とに支持されるとともに、支持フレーム６３の内周枠６４や外周枠６５、連結枠６６によってポリウレタンフォーム１１が支持されるから、支持フレーム６３によって扇風機２５の稼働中における脱臭具１０Ｋ（ポリウレタンフォーム１１）の不用意な動きを防ぐことができ、脱臭具１０Ｋ（ポリウレタンフォーム１１）の扇風機２５の羽根２９への接触を防ぐことができる。脱臭具１０Ｋ（脱臭具１０Ｋを取り付けた扇風機２５）は、支持フレーム６３の内周枠６４を介して脱臭具１０Ｋ（ポリウレタンフォーム１１）を扇風機２５に確実に固定することができ、支持フレーム６３によって脱臭具１０Ｋ（ポリウレタンフォーム１１）を扇風機２５の後ガード２８と羽根２９との間に設置することができる。
【０１７８】
図３３は、他の一例として示す脱臭具１０Ｌの斜視図である。図３３では、脱臭具１０Ｌを後面１４の側から示す。るしをこうを図３３に示す脱臭具１０Ｌが図３０のそれと異なるところは、脱臭具１０Ｌ（ポリウレタンフォーム１１）の前面全域１３（図３０参照）と後面１４全域とがフィルタ機能を有する通気性シート２０に包被されている点にある。この脱臭具１０Ｌのその他の構成は、図３０の脱臭具１０Ｋのそれと同一であるから、その説明は省略する。通気性シート２０には、粗塵用フィルタ、中高性能フィルタ、ＨＥＰＡフィルタ、ＵＬＰＡフィルタのうちのいずれかが使用されている。
【０１７９】
脱臭具１０Ｌ（脱臭具１０Ｌを取り付けた扇風機２５）は、図１の脱臭具１０Ａ（脱臭具１０Ａを取り付けた扇風機２５）や図３０の脱臭具１０Ｋ（脱臭具１０Ｋを取り付けた扇風機２５）が有する効果に加え、以下の効果を有する。脱臭具１０Ｌ（脱臭具１０Ｌを取り付けた扇風機２５）は、その前面１３全域と後面１４全域とがフィルタ機能を有する通気性シート２０に包被されているから、扇風機２５に進入した空気に含まれる微細な塵埃や花粉、PM2.5等の不純物をそれらシート２０によって除去することができ、それら不純物を除去した空気を作ることができ、扇風機２５による送風と同時に不純物を除去した空気を扇風機２５から送気することができる。また、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｌ（活性炭粉末）の臭気吸着機能の低下を防ぐことができる。
【０１８０】
図３４は、他の一例として示す脱臭具１０Ｍの正面図であり、図３５は、図３４の脱臭具１０Ｍの背面図である。図３６は、図３４のＥ−Ｅ線矢視断面図であり、図３７は、図３４の脱臭具１０Ｍを取り付けた扇風機２５の正面図である。図３８は、図３４の脱臭具１０Ｍを取り付けた扇風機２５の背面斜視図である。図３７では、前ガード２６の図示を省略している。図３４〜３６では、径方向を矢印Ｘ（図３４，３５のみ）、厚み方向を矢印Ｙ（図３６のみ）で示し、周り方向を矢印Ｚ（図３４，３５のみ）で示す。
【０１８１】
脱臭具１０Ｍは、図１のそれと同様に、扇風機２５（後ガード２８の直前、羽根２９の直後）に着脱可能に取り付けられ、扇風機２５を通過する空気に含まれる臭いや不純物の除去に好適に使用される。脱臭具１０Ｍは、活性炭粉末が所定のバインダーによって壁面１２に塗布され、壁面１２に活性炭の被覆層が形成された図１の脱臭具１０Ａと同様の軟質ポリウレタンフォーム１１から作られている。または、活性炭粉末を混入したフォーム原料を発泡させ、壁面１２に活性炭が露出する図１の脱臭具１０Ａと同様の軟質ポリウレタンフォーム１１から作られている。
【０１８２】
活性炭粉末を塗布した軟質ポリウレタンフォーム１１や活性炭粉末を混入した軟質ポリウレタンフォーム１１は、連続気泡を有するとともに所定の厚みを有し、弾性変形可能かつ可撓性を有する。活性炭粉末は、図１の脱臭具１０Ａのポリウレタンフォーム１１に使用するそれと同一であり、フォーム原料に対する活性炭粉末の混合割合は、図１の脱臭具１０Ａのポリウレタンフォーム１１のそれと同一である。
【０１８３】
ポリウレタンフォーム１１（脱臭具１０Ｍ）の厚み寸法は、３〜１０ｍｍ（好ましくは４〜６ｍｍ）の範囲にあり、ポリウレタンフォーム１１（脱臭具１０Ｍ）の質量は、３０〜６０ｇの範囲にある。厚み寸法をその範囲にする理由は、図１のポリウレタンフォーム１１（脱臭具１０Ａ）の理由と同一である。ポリウレタンフォーム１１の面速は、２０〜４０ｃｍ／ｓｅｃ（好ましくは２５〜３５ｃｍ／ｓｅｃ）の範囲にある。面速をその範囲にする理由は、図１のポリウレタンフォーム１１（脱臭具１０Ａ）の理由と同一である。
【０１８４】
脱臭具１０Ｍ（ポリウレタンフォーム１１）は、円形の前面１３および円形の後面１４と、周り方向へ環状に延びる内周縁部１５および周り方向へ環状に延びる外周縁部１６と、円形の中央開口１７と、前後面１３，１４間（ポリウレタンフォーム１１の内部）に存在する複数の通気路１８と、通気路１８につながって前後面１３，１４に開口する複数の通気口１９とを有する。脱臭具１０Ｍ（ポリウレタンフォーム１１）は、その前面１３全域が複数の網目を有する通気性ネット２１（網）に包被され、その後面１４全域がフィルタ機能を有する通気性シート２０に包被されている。通気性シート２０や通気性ネット２１は、図１の脱臭具１０Ａに使用されたそれらと同一である。
【０１８５】
通気路１８は、厚み方向と径方向とへ不規則に曲折しながら延びている。厚み方向と径方向とへ隣接する通気路１８は、厚み方向や径方向おいて部分的に繋がり、一方の通気路１８と他方の通気路１８とが互いに連通している。それら通気路１８の開口面積は、厚み方向と径方向とに向かって不規則に変化し、通気路１８に繋がるそれら通気口１９は、その面積が相違している（図２援用）。
【０１８６】
脱臭具１０Ｍでは、ポリウレタンフォーム１１の径方向の寸法を二分する二分線２２と内周縁部１５との間に延びる内側領域２３または二分線２２と外周縁部１６との間に延びる外側領域２４のいずれかに、臭気成分やたばこ臭、ノネナール臭を酸化分解する脱臭触媒が塗布されていてもよい。脱臭触媒には、図１の脱臭具１０Ａにおいて説明したそれらと同一のものを使用することができる。
【０１８７】
脱臭具１０Ｍ（ポリウレタンフォーム１１）は、支持フレーム５７に支持されている。支持フレーム５７は、脱臭具１０Ｍ（ポリウレタンフォーム１１）の前面１３の側に位置する第１支持フレーム５８と、脱臭具１０Ｍ（ポリウレタンフォーム１１）の後面１４の側に位置する第２支持フレーム５９とから形成されている。第１支持フレーム５８は、前面１３と通気性ネット２１との間に介在し、第２支持フレーム５９は、後面１４と通気性シート２０との間に介在している。第１および第２支持フレーム５８，５９は、図２３の脱臭具１０Ｉに使用されたそれらと同一である。
【０１８８】
脱臭具１０Ｍでは、内周縁部１５において脱臭具１０Ｍ（ポリウレタンフォーム１１）の前後面１３，１４が第１および第２支持フレーム５８，５９の内周枠６０に当接下に支持され、外周縁部１６において脱臭具１０Ｍ（ポリウレタンフォーム１１）の前後面１３，１４が第１および第２支持フレーム５８，５９の外周枠６１に当接下に支持されるとともに、内周縁部１５と外周縁部１６とを除く残余部が第１および第２支持フレーム５８，５９の連結枠６２に当接下に支持される。
【０１８９】
脱臭具１０Ｍを扇風機２５に取り付ける手順は、図１の脱臭具１０Ａと同一である。脱臭具１０Ｍを扇風機２５に取り付けると、第１支持フレーム５８の内周枠６０がガード締付ナット３２と後ガード２８の内周部３５とに挟まれ、脱臭具１０Ｍが扇風機２５のモーターケース３３に固定される。脱臭具１０Ｍを扇風機２５に取り付けると、脱臭具１０Ｍが後ガード２８と羽根２９との間に位置し、脱臭具１０Ｍ（ポリウレタンフォーム１１）の外周縁部１６が扇風機２５の羽根２９の径方向の寸法を二分する二分線３８の近傍に位置する（図３７参照）。
【０１９０】
なお、図１０に示すように、脱臭具１０Ｍ（ポリウレタンフォーム１１）の外周縁部１６が扇風機２５の羽根２９の径方向先端部３９に位置してもよく、図１１に示すように、脱臭具１０Ｍ（ポリウレタンフォーム１１）の外周縁部１６が羽根２９の径方向先端部３９と二分線３８との間の部位の径方向中央に位置してもよい。ただし、外周縁部１６は、径方向先端部３９と二分線３８との間に位置していればよい。
【０１９１】
扇風機２５に脱臭具１０Ｍを取り付けた後、扇風機２５のスイッチをＯＮにすると、空気が後ガード２８の後方から扇風機２５に進入する。後ガード２８から扇風機２５に進入した空気は、脱臭具１０Ｍに流入して厚み方向や径方向に曲折して延びる通気路１９の壁面１２に接触し、空気に含まれる臭気成分やたばこ臭、ノネナール臭が通気路１８に形成された活性炭粉末の被覆層や通気路１８の表面に露出する活性炭粉末に吸着される。臭気成分やたばこ臭、ノネナール臭が除去された無臭かつ清浄な空気が扇風機２５から送気される。
【０１９２】
なお、脱臭具１０Ｍ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の不純物がシート２０に捕集され（通気性シート２０がエレクトレット化されている場合、シートの静電作用によって空気に含まれる不純物がシート２０に効率よく捕集され）、塵埃や花粉、PM2.5等の微細な不純物が除去された空気がポリウレタンフォーム１１に進入する。ポリウレタンフォーム１１に進入する前に空気に含まれる微細な不純物が除去されから、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｍ（活性炭粉末）の臭気吸着機能の低下を防ぐことができる。
【０１９３】
脱臭具１０Ｍ（脱臭具１０Ｍを取り付けた扇風機２５）は、図１の脱臭具１０Ａ（脱臭具１０Ａを取り付けた扇風機２５）が有する効果に加え、以下の効果を有する。脱臭具１０Ｍ（脱臭具１０Ｍを取り付けた扇風機２５）は、第１および第２支持フレーム５８，５９が通気性シート２０や通気性ネット２１とポリウレタンフォーム１１との間に位置することで、支持フレーム５８，５９がシート２０やネット２１とポリウレタンフォーム１１とに支持されるとともに、前面１３が第１支持フレーム５８の内周枠６０や外周枠６１、連結枠６２によって支持され、後面１４が第２支持フレーム５９の内周枠６０や外周枠６１、連結枠６２によって支持されるから、第１および第２支持フレーム５８，５９によって扇風機２５の稼働中における脱臭具１０Ｍ（ポリウレタンフォーム１１）の不用意な動きを防ぐことができ、脱臭具１０Ｍ（ポリウレタンフォーム１１）の扇風機２５の羽根２９への接触を防ぐことができる。脱臭具１０Ｍ（脱臭具１０Ｍを取り付けた扇風機２５）は、支持フレーム５８の内周枠６０を介して脱臭具１０Ｍ（ポリウレタンフォーム１１）を扇風機２５の螺子パイプ３４に確実に固定することができ、支持フレーム５８によって脱臭具１０Ｍ（ポリウレタンフォーム１１）を扇風機２５の後ガード２８と羽根２９との間に設置することができる。
【０１９４】
図３９は、他の一例として示す脱臭具１０Ｎの正面図であり、図４０は、図３９の脱臭具１０Ｎの背面図である。図４１は、図３９のＦ−Ｆ線矢視断面図である。図３９〜４１では、径方向を矢印Ｘ（図３９，４０のみ）、厚み方向を矢印Ｙ（図４１のみ）で示し、周り方向を矢印Ｚ（図３９，４０のみ）で示す。脱臭具１０Ｎは、図１のそれと同様に、扇風機２５（後ガード２８の直前、羽根２９の直後）に着脱可能に取り付けられ、扇風機２５を通過する空気に含まれる臭いや不純物の除去に好適に使用される。
【０１９５】
脱臭具１０Ｎは、活性炭粉末が所定のバインダーによって壁面１２に塗布され、壁面１２に活性炭の被覆層が形成された図１の脱臭具１０Ａと同様の軟質ポリウレタンフォーム１１から作られている。または、活性炭粉末を混入したフォーム原料を発泡させ、壁面１２に活性炭が露出する図１の脱臭具１０Ａと同様の軟質ポリウレタンフォーム１１から作られている。
【０１９６】
活性炭粉末を塗布した軟質ポリウレタンフォーム１１や活性炭粉末を混入した軟質ポリウレタンフォーム１１は、連続気泡を有するとともに所定の厚みを有し、弾性変形可能かつ可撓性を有する。活性炭粉末は、図１の脱臭具１０Ａのポリウレタンフォーム１１に使用するそれと同一であり、フォーム原料に対する活性炭粉末の混合割合は、図１の脱臭具１０Ａのポリウレタンフォーム１１のそれと同一である。
【０１９７】
ポリウレタンフォーム１１（脱臭具１０Ｎ）の厚み寸法は、３〜１０ｍｍ（好ましくは４〜６ｍｍ）の範囲にあり、ポリウレタンフォーム１１（脱臭具１０Ｎ）の質量は、３０〜６０ｇの範囲にある。厚み寸法をその範囲にする理由は、図１のポリウレタンフォーム１１（脱臭具１０Ａ）の理由と同一である。ポリウレタンフォーム１１の面速は、２０〜４０ｃｍ／ｓｅｃ（好ましくは２５〜３５ｃｍ／ｓｅｃ）の範囲にある。面速をその範囲にする理由は、図１のポリウレタンフォーム１１（脱臭具１０Ａ）の理由と同一である。
【０１９８】
脱臭具１０Ｎ（ポリウレタンフォーム１１）は、円形の前面１３および円形の後面１４と、周り方向へ環状に延びる内周縁部１５および周り方向へ環状に延びる外周縁部１６と、円形の中央開口１７と、前後面１３，１４間（ポリウレタンフォーム１１の内部）に存在する複数の通気路１８と、通気路１８につながって前後面１３，１４に開口する複数の通気口１９とを有する。脱臭具１０Ｎ（ポリウレタンフォーム１１）は、その前面１３全域が複数の網目を有する通気性ネット２１（網）に包被され、その後面１４全域がフィルタ機能を有する通気性シート２０に包被されている。通気性シート２０や通気性ネット２１は、図１の脱臭具１０Ａに使用されたそれらと同一である。
【０１９９】
通気路１８は、厚み方向と径方向とへ不規則に曲折しながら延びている。厚み方向と径方向とへ隣接する通気路１８は、厚み方向や径方向おいて部分的に繋がり、一方の通気路１８と他方の通気路１８とが互いに連通している。それら通気路１８の開口面積は、厚み方向と径方向とに向かって不規則に変化し、通気路１８に繋がるそれら通気口１９は、その面積が相違している（図２援用）。
【０２００】
脱臭具１０Ｎでは、ポリウレタンフォーム１１の径方向の寸法を二分する二分線２２と内周縁部１５との間に延びる内側領域２３または二分線２２と外周縁部１６との間に延びる外側領域２４のいずれかに、臭気成分やたばこ臭、ノネナール臭を酸化分解する脱臭触媒が塗布されていてもよい。脱臭触媒には、図１の脱臭具１０Ａにおいて説明したそれらと同一のものを使用することができる。
【０２０１】
脱臭具１０Ｎ（ポリウレタンフォーム１１）と通気性ネット２１との間には、ポリウレタンフォーム１１を支持する支持フレーム６３が介在している。支持フレーム６３は、脱臭具１０Ｎ（ポリウレタンフォーム１１）の前面１３（一方の面）の側に位置し、前面１３と通気性ネット２１との間に介在している。支持フレーム６３は、図３０の脱臭具１０Ｋに使用されたそれと同一である。
【０２０２】
なお、図示はしていないが、支持フレーム６３が脱臭具１０Ｎ（ポリウレタンフォーム１１）の後面１４（一方の面）の側に位置し、後面１４と通気性シート２０との間に介在していてもよい。支持フレーム６３が後面１４と通気性シート２０との間に介在する場合、内周枠６４と外周枠６５とが脱臭具１０Ｎ（ポリウレタンフォーム１１）の後面１４において周り方向へ環状に延び、連結枠６６が脱臭具１０Ｎ（ポリウレタンフォーム１１）の後面１４において径方向へ直状に延びる。
【０２０３】
脱臭具１０Ｎでは、内周縁部１５において脱臭具１０Ｎ（ポリウレタンフォーム１１）の前面１３が支持フレーム６３の内周枠６４に当接下に支持され、外周縁部１６において脱臭具１０Ｎ（ポリウレタンフォーム１１）の前面１３が支持フレーム６３の外周枠６５に当接下に支持されるとともに、内周縁部１５と外周縁部１６とを除く残余部が支持フレーム６３の連結枠６６に当接下に支持される。
【０２０４】
脱臭具１０Ｎを扇風機２５に取り付ける手順は、図１の脱臭具１０Ａと同一である。脱臭具１０Ｎを扇風機２５に取り付けると、支持フレーム６３の内周枠６４がガード締付ナット２１と後ガード２８の内周部３５とに挟まれ、脱臭具１０Ｎが扇風機２５のモーターケース３３に固定される。脱臭具１０Ｎを扇風機２５に取り付けると、脱臭具１０Ｎが後ガード２８と羽根２９との間に位置し、脱臭具１０Ｎ（ポリウレタンフォーム１１）の外周縁部１６が扇風機２５の羽根２９の径方向の寸法を二分する二分線３８の近傍に位置する。
【０２０５】
なお、図１０に示すように、脱臭具１０Ｎ（ポリウレタンフォーム１１）の外周縁部１６が扇風機２５の羽根２９の径方向先端部３９に位置してもよく、図１１に示すように、脱臭具１０Ｎ（ポリウレタンフォーム１１）の外周縁部１６が羽根２９の径方向先端部３９と二分線３８との間の部位の径方向中央に位置してもよい。ただし、外周縁部１６は、径方向先端部３９と二分線３８との間に位置していればよい。
【０２０６】
扇風機２５に脱臭具１０Ｎを取り付けた後、扇風機２５のスイッチをＯＮにすると、空気が後ガード２８の後方から扇風機２５に進入する。後ガード２８から扇風機２５に進入した空気は、脱臭具１０Ｎに流入して厚み方向や径方向に曲折して延びる通気路１８の壁面１２に接触し、空気に含まれる臭気成分やたばこ臭、ノネナール臭が通気路１８に形成された活性炭粉末の被覆層や通気路１８の表面に露出する活性炭粉末に吸着される。臭気成分やたばこ臭、ノネナール臭が除去された無臭かつ清浄な空気が扇風機２５から送気される。
【０２０７】
なお、脱臭具１０Ｎ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の不純物がシート２０に捕集され（通気性シート２０がエレクトレット化されている場合、シートの静電作用によって空気に含まれる不純物がシート２０に効率よく捕集され）、塵埃や花粉、PM2.5等の微細な不純物が除去された空気がポリウレタンフォーム１１に進入する。ポリウレタンフォーム１１に進入する前に空気に含まれる微細な不純物が除去されから、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｎ（活性炭粉末）の臭気吸着機能の低下を防ぐことができる。
【０２０８】
脱臭具１０Ｎ（脱臭具１０Ｎを取り付けた扇風機２５）は、図１の脱臭具１０Ａ（脱臭具１０Ａを取り付けた扇風機２５）が有する効果に加え、以下の効果を有する。脱臭具１０Ｎ（脱臭具１０Ｎを取り付けた扇風機２５）は、支持フレーム６３がポリウレタンフォーム１１と通気性ネット２１との間に位置することで、支持フレーム６３がポリウレタンフォーム１１とネット２１とに支持されるとともに、支持フレーム６３の内周枠６４や外周枠６５、連結枠６６によってポリウレタンフォーム１１が支持されるから、支持フレーム６３によって扇風機２５の稼働中における脱臭具１０Ｎ（ポリウレタンフォーム１１）の不用意な動きを防ぐことができ、脱臭具１０Ｎ（ポリウレタンフォーム１１）の扇風機２５の羽根２９への接触を防ぐことができる。脱臭具１０Ｎ（脱臭具１０Ｎを取り付けた扇風機２５）は、支持フレーム６３の内周枠６４を介して脱臭具１０Ｎ（ポリウレタンフォーム１１）を扇風機２５に確実に固定することができ、支持フレーム６３によって脱臭具１０Ｎ（ポリウレタンフォーム１１）を扇風機２５の後ガード２８と羽根２９との間に設置することができる。
【０２０９】
図４２は、他の一例として示す脱臭具１０Ｏの正面図であり、図４３は、図４２の脱臭具１０Ｏの背面図である。図４４は、図４２のＧ−Ｇ線矢視断面図であり、図４５，４６は、図４２の脱臭具１０Ｏを取り付けた扇風機２５の正面図である。図４７は、図４２の脱臭具１０Ｏを取り付けた扇風機２５の背面斜視図である。図４５では、前ガード２６および羽根２９の図示を省略し、図４６では、前ガード２６の図示を省略している。図４２〜４４では、径方向を矢印Ｘ（図４２，４３のみ）、厚み方向を矢印Ｙ（図４４のみ）で示し、周り方向を矢印Ｚ（図４２，４３のみ）で示す。
【０２１０】
脱臭具１０Ｏは、図１のそれと同様に、扇風機２５（後ガード２８の直前、羽根２９の直後）に着脱可能に取り付けられ、扇風機２５を通過する空気に含まれる臭いや不純物の除去に好適に使用される。脱臭具１０Ｏは、活性炭粉末が所定のバインダーによって壁面１２に塗布され、壁面１２に活性炭の被覆層が形成された図１の脱臭具１０Ａと同様の軟質ポリウレタンフォーム１１から作られている。または、活性炭粉末を混入したフォーム原料を発泡させ、壁面１２に活性炭が露出する図１の脱臭具１０Ａと同様の軟質ポリウレタンフォーム１１から作られている。
【０２１１】
活性炭粉末を塗布した軟質ポリウレタンフォーム１１や活性炭粉末を混入した軟質ポリウレタンフォーム１１は、連続気泡を有するとともに所定の厚みを有し、弾性変形可能かつ可撓性を有する。活性炭粉末は、図１の脱臭具１０Ａのポリウレタンフォーム１１に使用するそれと同一であり、フォーム原料に対する活性炭粉末の混合割合は、図１の脱臭具１０Ａのポリウレタンフォーム１１のそれと同一である。
【０２１２】
ポリウレタンフォーム１１（脱臭具１０Ｏ）の厚み寸法は、３〜１０ｍｍ（好ましくは４〜６ｍｍ）の範囲にあり、ポリウレタンフォーム１１（脱臭具１０Ｏ）の質量は、３０〜６０ｇの範囲にある。厚み寸法をその範囲にする理由は、図１のポリウレタンフォーム１１（脱臭具１０Ａ）の理由と同一である。ポリウレタンフォーム１１の面速は、２０〜４０ｃｍ／ｓｅｃ（好ましくは２５〜３５ｃｍ／ｓｅｃ）の範囲にある。面速をその範囲にする理由は、図１のポリウレタンフォーム１１（脱臭具１０Ａ）の理由と同一である。
【０２１３】
脱臭具１０Ｏ（ポリウレタンフォーム１１）は、円形の前面１３および円形の後面１４と、周り方向へ環状に延びる内周縁部１５および周り方向へ環状に延びる外周縁部１６と、円形の中央開口１７と、前後面１３，１４間（ポリウレタンフォーム１１の内部）に存在する複数の通気路１８と、通気路１８につながって前後面１３，１４に開口する複数の通気口１９とを有する。脱臭具１０Ｏ（ポリウレタンフォーム１１）は、その前面１３全域がフィルタ機能を有する通気性シート２０に包被され、その後面１４全域が複数の網目を有する通気性ネット２１（網）に包被されている。通気性シート２０や通気性ネット２１は、図１の脱臭具１０Ａに使用されたそれらと同一である。
【０２１４】
通気路１８は、厚み方向と径方向とへ不規則に曲折しながら延びている。厚み方向と径方向とへ隣接する通気路１８は、厚み方向や径方向おいて部分的に繋がり、一方の通気路１８と他方の通気路１８とが互いに連通している。それら通気路１８の開口面積は、厚み方向と径方向とに向かって不規則に変化し、通気路１８に繋がるそれら通気口１９は、その面積が相違している（図２援用）。
【０２１５】
脱臭具１０Ｏでは、ポリウレタンフォーム１１の径方向の寸法を二分する二分線２２と内周縁部１５との間に延びる内側領域２３または二分線２２と外周縁部１６との間に延びる外側領域２４のいずれかに、臭気成分やたばこ臭、ノネナール臭を酸化分解する脱臭触媒が塗布されていてもよい。脱臭触媒には、図１の脱臭具１０Ａにおいて説明したそれらと同一のものを使用することができる。
【０２１６】
脱臭具１０Ｏは、ポリウレタンフォーム１１を支持する支持フレーム６７に着脱可能に設置されている。支持フレーム６７は、脱臭具１０Ｏ（ポリウレタンフォーム１１）の前面１３の側に位置する第１支持フレーム６８と、脱臭具１０Ｏ（ポリウレタンフォーム１１）の後面１４の側に位置する第２支持フレーム６９とから形成されている。第１および第２支持フレーム６８，６９は、プラスチック板や金属板から作られ、脱臭具１０Ｏ（ポリウレタンフォーム１１）の内周縁部１５を支持する内周枠７０と、脱臭具１０Ｏ（ポリウレタンフォーム１１）の外周縁部１６を支持する外周枠７１と、内周枠７０と外周枠７１とに繋がって径方向へ直状に延びる連結枠７２とを有する。
【０２１７】
第１支持フレーム６８の内周枠７０は、内周縁部１５の前面１３において周り方向へ環状に延びる第１内周枠７３と、第１内周枠７３から後面１４の側に向かって折れ曲がり、前面１３と後面１４との間において周り方向へ環状に延びる第２内周枠７４とを有する。第１支持フレーム６８の内周枠７０は、通気性シート２０や通気性ネット２１を含む内周縁部１５を前面１３から後面１４に向かって包み込むように延びている。
【０２１８】
第１支持フレーム６８の外周枠７１は、外周縁部１６の前面１３において周り方向へ環状に延びる第１外周枠７５と、第１外周枠７５から後面１４の側に向かって折れ曲がり、前面１３と後面１４との間において周り方向へ環状に延びる第２外周枠７６とを有する。第１支持フレーム６８の外周枠７１は、通気性シート２０や通気性ネット２１を含む外周縁部１６を前面１３から後面１４に向かって包み込むように延びている。
【０２１９】
第２支持フレーム６９の内周枠７０は、内周縁部１５の後面１４において周り方向へ環状に延びる第１内周枠７７と、第１内周枠７７から前面１３の側に向かって折れ曲がり、後面１４と前面１３との間において周り方向へ環状に延びる第２内周枠７８とを有する。第２支持フレーム６９の内周枠７０は、通気性シート２０や通気性ネット２１を含む内周縁部１５を後面１４から前面１３に向かって包み込むように延びている。
【０２２０】
第２支持フレーム６９の外周枠７１は、外周縁部１６の後面１４において周り方向へ環状に延びる第１外周枠７９と、第１外周枠７９から前面１３の側に向かって折れ曲がり、後面１４と前面１３との間において周り方向へ環状に延びる第２外周枠８０とを有する。第２支持フレーム６９の外周枠７１は、通気性シート２０や通気性ネット２１を含む外周縁部１６を後面１４から前面１３に向かって包み込むように延びている。支持フレーム６７では、第１支持フレーム６８の内周枠７０と第２支持フレーム６９の内周枠７０との互いに当接する部分が固着され、第１支持フレーム６８の外周枠７１と第２支持フレーム６９の外周枠７１との互いに当接する部分が固着されている。
【０２２１】
脱臭具１０Ｏでは、内周縁部１５において脱臭具１０Ｏ（ポリウレタンフォーム１１）の前面１３が第１支持フレーム６８の内周枠７０に当接下に支持され、内周縁部１５において脱臭具１０Ｏ（ポリウレタンフォーム１１）の後面１４が第２支持フレーム６９の内周枠７０に当接下に支持されている。外周縁部１６において脱臭具１０Ｏ（ポリウレタンフォーム１１）の前面１３が第１支持フレーム６８の外周枠７１に当接下に支持され、外周縁部１６において脱臭具１０Ｏ（ポリウレタンフォーム１１）の後面１４が第２支持フレーム６９の外周枠７１に当接下に支持されているとともに、内周縁部１５と外周縁部１６とを除く残余部が第１および第２支持フレーム６８，６９の連結枠７２に当接下に支持されている。
【０２２２】
脱臭具１０Ｏを扇風機２５に取り付ける手順は、図１の脱臭具１０Ａと同一である。脱臭具１０Ｏを扇風機２５に取り付けると、第１支持フレーム６８の内周枠７０がガード締付ナット３２と後ガード２８の内周部３５とに挟まれ、脱臭具１０Ｏが扇風機２５のモーターケース３３に固定される（図４５参照）。脱臭具１０Ｏを扇風機２５に取り付けると、脱臭具１０Ｏが後ガード２８と羽根２９との間に位置し、脱臭具１０Ｏ（ポリウレタンフォーム１１）の外周縁部１６が扇風機２５の羽根２９の径方向の寸法を二分する二分線３８の近傍に位置する（図４６参照）。
【０２２３】
なお、図１０に示すように、脱臭具１０Ｏ（ポリウレタンフォーム１１）の外周縁部１６が扇風機２５の羽根２９の径方向先端部３９に位置してもよく、図１１に示すように、脱臭具１０Ｏ（ポリウレタンフォーム１１）の外周縁部１６が羽根２９の径方向先端部３９と二分線３８との間の部位の径方向中央に位置してもよい。ただし、外周縁部１６は、径方向先端部３９と二分線３８との間に位置していればよい。
【０２２４】
扇風機５４に脱臭具１０Ｏを取り付けた後、扇風機２５のスイッチをＯＮにすると、空気が後ガード２８の後方から扇風機２５に進入する。後ガード２８から扇風機２５に進入した空気は、脱臭具１０Ｏに流入して厚み方向や径方向に曲折して延びる通気路１８の壁面１２に接触し、空気に含まれる臭気成分やたばこ臭、ノネナール臭が通気路１８に形成された活性炭粉末の被覆層や通気路１８の表面に露出する活性炭粉末に吸着される。臭気成分やたばこ臭、ノネナール臭が除去された無臭かつ清浄な空気が扇風機２５から送気される。なお、脱臭具１０Ｏ（ポリウレタンフォーム１１）の内側領域２３または外側領域２４に脱臭触媒が塗布されている場合、空気に含まれる臭気成分やたばこ臭、ノネナール臭が脱臭触媒によって酸化分解される。また、空気が通気性シート２０を通過するときに、空気に含まれる微細な塵埃や花粉、PM2.5等の微細な不純物がシート２０に捕集され（通気性シート２０がエレクトレット化されている場合、シートの静電作用によって空気に含まれる不純物がシート２０に効率よく捕集され）、塵埃や花粉、PM2.5等の不純物が除去された空気が羽根２９に進入する。
【０２２５】
脱臭具１０Ｏ（脱臭具１０Ｏを取り付けた扇風機２５）は、図１の脱臭具１０Ａ（脱臭具１０Ａを取り付けた扇風機２５）が有する効果に加え、以下の効果を有する。脱臭具１０Ｏ（脱臭具１０Ｏを取り付けた扇風機２５）は、第１および第２支持フレーム６８，６９の外周枠７１が脱臭具１０Ｏ（ポリウレタンフォーム１１）の外周縁部１６を保持するとともに、第１および第２支持フレーム６８，６９の内周枠７０が脱臭具１０Ｏ（ポリウレタンフォーム１１）の内周縁部１５を保持するから、脱臭具１０Ｏがそれら支持フレーム６８，６９に据え付けられ、支持フレーム６８，６９からの脱臭具１０Ｏの脱落を確実に防ぐことができる。
【０２２６】
脱臭具１０Ｏ（脱臭具１０Ｏを取り付けた扇風機２５）は、支持フレーム６８，６９によって扇風機２５の稼働中における脱臭具１０Ｏ（ポリウレタンフォーム１１）の不用意な動きを防ぐことができ、脱臭具１０Ｏ（ポリウレタンフォーム１１）の扇風機２５の羽根２９への接触を防ぐことができる。脱臭具１０Ｏ（脱臭具１０Ｏを取り付けた扇風機２５）は、第１支持フレーム６８の内周枠７０を介して脱臭具１０Ｏ（ポリウレタンフォーム１１）を扇風機２５に確実に固定することができ、支持フレーム６３によって脱臭具１０Ｏ（ポリウレタンフォーム１１）を扇風機２５の後ガード２８と羽根２９との間に設置することができる。
【０２２７】
図４８は、他の一例として示す脱臭具１０Ｐの斜視図である。図４８では、脱臭具１０Ｐを後面１４の側から示す。るしをこうを図４８に示す脱臭具１０Ｐが図４２のそれと異なるところは、脱臭具１０Ｐ（ポリウレタンフォーム１１）の前面全域１３（図４２参照）と後面１４全域とがフィルタ機能を有する通気性シート２０に包被されている点にある。この脱臭具１０Ｐのその他の構成は、図４２の脱臭具１０Ｏのそれと同一であるから、その説明は省略する。通気性シート２０には、粗塵用フィルタ、中高性能フィルタ、ＨＥＰＡフィルタ、ＵＬＰＡフィルタのうちのいずれかが使用されている。
【０２２８】
脱臭具１０Ｐ（脱臭具１０Ｐを取り付けた扇風機２５）は、図１の脱臭具１０Ａ（脱臭具１０Ａを取り付けた扇風機２５）や図４２の脱臭具１０Ｏ（脱臭具１０Ｏを取り付けた扇風機２５）が有する効果に加え、以下の効果を有する。脱臭具１０Ｐ（脱臭具１０Ｐを取り付けた扇風機２５）は、その前面１３全域と後面１４全域とがフィルタ機能を有する通気性シート２０に包被されているから、扇風機２５に進入した空気に含まれる微細な塵埃や花粉、PM2.5等の微細な不純物をそれらシート２０によって除去することができ、それら不純物を除去した空気を作ることができ、扇風機２５による送風と同時に不純物を除去した空気を扇風機２５から送気することができる。また、ポリウレタンフォーム１１に進入する前に空気に含まれる微細な不純物が除去されから、ポリウレタンフォーム１１の壁面１２（前後面１３，１４および通気路１８の壁面）への塵埃や花粉、PM2.5等の不純物の付着を防ぐことができ、不純物がポリウレタンフォーム１１の壁面１２に付着することによる脱臭具１０Ｐ（活性炭粉末）の臭気吸着機能の低下を防ぐことができる。
【０２２９】
図４９は、各脱臭具１０Ａ〜１０Ｐの脱臭機能の測定手順を説明する図であり、図５０は、図４９から続く各脱臭具１０Ａ〜１０Ｐの脱臭機能の測定手順を説明する図である。各脱臭具１０Ａ〜１０Ｐに対して臭気ガスの脱臭機能（臭気吸着機能）の測定を行った。なお、脱臭具１０Ａ〜１０Ｐは、脱臭具１０Ａ→脱臭具１０Ｂ→脱臭具１０Ｃ→脱臭具１０Ｄ→脱臭具１０Ｅ→脱臭具１０Ｆ→脱臭具１０Ｇ→脱臭具１０Ｈ→脱臭具１０Ｉ→脱臭具１０Ｊ→脱臭具１０Ｋ→脱臭具１０Ｌ→脱臭具１０Ｍ→脱臭具１０Ｎ→脱臭具１０Ｏ→脱臭具１０Ｐの順で脱臭機能を測定した（ガス検知管法）。
【０２３０】
脱臭具１０Ａ〜１０Ｐは、その外周縁部１６が扇風機２５の羽根２９の径方向の寸法を二分する二分線３８の近傍に位置するものを使用した。脱臭具１０Ａ〜１０Ｐには、脱臭触媒が塗布されていないものを使用した。測定に使用した測定ボックス９０は、透明なアクリルによって作られた６面体（立方体）であり、各辺の長さＬ１，Ｌ２，Ｌ３が１ｍであってその体積が１ｍ３である。第１測定として脱臭具１０Ａ〜１０Ｐを設置した扇風機２５を使用し、第２測定として脱臭具１０Ａ〜１０Ｐを設置していない扇風機２５を使用した。さらに、第３測定として扇風機２５を使用しない（扇風機２５なし）空測定を行った。
【０２３１】
ガス検知管法による第１測定では、各脱臭具１０Ａ〜１０Ｐを扇風機２５の後ガード２８と羽根２９との間に設置した後、各脱臭具１０Ａ〜１０Ｐを設置した扇風機２５と攪拌ファン（図示せず）とを図４９，５０に示す測定ボックス９０の内部に収容した。次に、攪拌ファンを稼働させ、設定したガス濃度となるように、測定ボックス９０の内部にガス検知管９１（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。脱臭具１０Ａ〜１０Ｐを設置した扇風機２５を稼働させ（風量：微風）、経過時間毎に測定ボックス９０の内部のガス濃度をガス検知管９１を使用して測定した。
【０２３２】
ガス検知管法による第２測定では、脱臭具１０Ａ〜１０Ｐを設置していない扇風機２５（扇風機２５のみ）と攪拌ファン（図示せず）とを測定ボックス９０の内部に収容した。次に、攪拌ファンを稼働させ、設定したガス濃度となるように、測定ボックス９０の内部にガス検知管９１（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。扇風機２５を稼働させ（風量：微風）、経過時間毎に測定ボックス９０の内部のガス濃度をガス検知管９１を使用して測定した。
【０２３３】
第３測定では、扇風機２５を測定ボックス９０の内部に収容せず、攪拌ファン（図示せず）のみを測定ボックス９０の内部に収容した。次に、攪拌ファンを稼働させ、設定したガス濃度となるように、測定ボックス９０の内部にガス検知管９１（株式会社ガステック製または光明理化学工業株式会社製）を使用して測定用臭気ガス（アンモニアガス、トリメチルアミンガス、メチルメルカプタンガス、硫化水素ガス、酢酸ガス、アセトアルデヒドガス）を注入した。経過時間毎に測定ボックス９０の内部のガス濃度をガス検知管９１を使用して測定した。
【０２３４】
図５１は、アンモニアに対する測定結果を示す図である。測定用のアンモニアガスには、アンモニア水（２８％、特級）（小宗化学薬品株式会社）から発生させたアンモニアガスを使用した。アンモニアに対する測定条件は、アンモニア（初期ガス濃度：約３０ppm）、温度条件（室温）、測定時間（０分、１０分、３０分、１時間、３時間、６時間、ただし、測定値が定量下限（１ppm）未満になった時点で終了）である。
【０２３５】
図５１に示すように、経過時間０分において第１〜第３測定ではアンモニアガスの濃度が３０ppmであったが、１時間経過後において第１測定ではアンモニアガスの濃度が１８ppmに低下し、３時間経過後において第１測定ではアンモニアガスの濃度が１５ppmに低下し、６時間経過後において第１測定ではアンモニアガスの濃度が１２ppmに低下した。第１測定では、６時間経過後にアンモニアガスの濃度が初期ガス濃度の約１／３に減少したのに比較し、第２および第３測定では、アンモニアガスの濃度の大きな低下は見られなかった。
【０２３６】
図５１から明らかなように、脱臭具１０Ａ〜１０Ｐを設置した扇風機２４では、アンモニアガスの濃度を確実に低減させることができ、アンモニア臭（し尿臭やたばこ臭）を有効に除去する効果があることが分かった。したがって、扇風機用脱臭具１０Ａ〜１０Ｐは、それらを扇風機２５に設置することで、空気に含まれるし尿臭やたばこ臭を確実に除去することができる。
【０２３７】
図５２は、トリメチルアミンに対する測定結果を示す図である。測定用のトリメチルアミンガスには、トリメチルアミン水溶液（２８％）（東京化成工業株式会社）から発生させたトリメチルアミンガスを使用した。トリメチルアミンに対する測定条件は、トリメチルアミン（初期ガス濃度：約２０ppm）、温度条件（室温）、測定時間（０分、１０分、３０分、１時間、３時間、６時間、ただし、測定値が定量下限（１ppm）未満になった時点で終了）である。
【０２３８】
図５２に示すように、経過時間０分において、第１〜第３測定ではトリメチルアミンガスの濃度が２０ppmであったが、３０分経過後において第１測定ではトリメチルアミンガスの濃度が３ppmに低下し、１時間経過後において第１測定ではトリメチルアミンガスの濃度が２ppmに低下し、３時間経過後において第１測定ではトリメチルアミンガスの濃度が１ppmに低下した。第１測定では、３時間経過後にトリメチルアミンガスの濃度が初期ガス濃度の１／２０に減少したのに比較し、第２および第３測定では、トリメチルアミンガスの濃度の大きな低下は見られなかった。
【０２３９】
図５２から明らかなように、脱臭具１０Ａ〜１０Ｐを設置した扇風機２５では、トリメチルアミンガスの濃度を確実に低減させることができ、トリメチルアミンガス臭（魚の腐敗臭）を有効に除去する効果があることが分かった。したがって、扇風機用脱臭具１０Ａ〜１０Ｐは、それらを扇風機２５に設置することで、空気に含まれる魚の腐敗臭（生ゴミの腐敗臭）を確実に除去することができる。
【０２４０】
図５３は、メチルメルカプタンに対する測定結果を示す図である。測定用のメチルメルカプタンガスには、メチルメルカプタンナトリウム水溶液（１５％）（小宗化学薬品株式会社）から発生させたメチルメルカプタンガスを使用した。メチルメルカプタンに対する測定条件は、メチルメルカプタン（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０２４１】
図５３に示すように、経過時間０分において、第１〜第３測定ではメチルメルカプタンガスの濃度が４．０ppmであったが、１０分経過後において第１測定ではメチルメルカプタンガスの濃度が＜０．１ppmに低下した（測定値が定量下限未満になったので、測定をその時点で終了）。これに対し、第２および第３測定では、メチルメルカプタンガスの濃度の低下は見られなかった。
【０２４２】
図５３から明らかなように、脱臭具１０Ａ〜１０Ｐを設置した扇風機２５では、メチルメルカプタンガスの濃度を短時間に確実に低減させることができ、メチルメルカプタンガス臭（タマネギの腐敗臭）を有効に除去する効果があることが分かった。したがって、扇風機用脱臭具１０Ａ〜１０Ｐは、それらを扇風機２５に設置することで、空気に含まれるタマネギの腐敗臭（生ゴミの腐敗臭）を確実に除去することができる。
【０２４３】
図５４は、硫化水素に対する測定結果を示す図である。測定用の硫化水素ガスには、硫化鉄（ＩＩ）（硫化水素発生用）（小宗化学薬品株式会社）に稀釈酸を加えて発生させた硫化水素ガスを使用した。硫化水素に対する測定条件は、硫化水素（初期ガス濃度：約４．０ppm）、温度条件（室温）、測定時間（０分、１０分、３０分、１時間、３時間、６時間、ただし、測定値が定量下限（０．１ppm）未満になった時点で終了）である。
【０２４４】
図５４に示すように、経過時間０分において、第１〜第３測定では硫化水素ガスの濃度が４．０ppmであったが、１０分経過後において第１測定では硫化水素ガスの濃度が＜０．１ppmに低下した（測定値が定量下限未満になったので、測定をその時点で終了）。これに対し、第２および第３測定では、硫化水素ガスの濃度の低下は見られなかった。
【０２４５】
図５４から明らかなように、脱臭具１０Ａ〜１０Ｐを設置した扇風機２５では、硫化水素ガスの濃度を短時間に確実に低減させることができ、硫化水素ガス臭（卵の腐敗臭）を有効に除去する効果があることが分かった。したがって、扇風機用脱臭具１０Ａ〜１０Ｐは、それらを扇風機２５に設置することで、空気に含まれる卵の腐敗臭（生ゴミの腐敗臭）を確実に除去することができる。
【０２４６】
図５５は、酢酸に対する測定結果を示す図である。測定用の酢酸ガスには、酢酸（特級）（小宗化学薬品株式会社）から発生させた酢酸ガスを使用した。酢酸に対する測定条件は、酢酸（初期ガス濃度：約５０ppm）、温度条件（室温）、測定時間（０分、１０分、３０分、１時間、３時間、６時間、ただし、測定値が定量下限（１ppm）未満になった時点で終了）である。
【０２４７】
図５５に示すように、経過時間０分において、第１〜第３測定では硫化水素ガスの濃度が５０ppmであったが、１０分経過後において第１測定では硫化水素ガスの濃度が＜１ppmに低下した（測定値が定量下限未満になったので、測定をその時点で終了）。これに対し、第２および第３測定では、硫化水素ガスの濃度の低下は見られなかった。
【０２４８】
図５５から明らかなように、脱臭具１０Ａ〜１０Ｐを設置した扇風機２５では、酢酸ガスの濃度を短時間に確実に低減させることができ、酢酸ガス臭を有効に除去する効果があることが分かった。したがって、扇風機用脱臭具１０Ａ〜１０Ｐは、それらを扇風機２５に設置することで、空気に含まれる酢酸臭（生ゴミの腐敗臭）を確実に除去することができる。
【０２４９】
図５６は、アセトアルデヒドに対する測定結果を示す図である。測定用のアセトアルデヒドガスには、アセトアルデヒド（一級）（和光純薬工業株式会社）から発生させたアセトアルデヒドガスを使用した。アセトアルデヒドに対する測定条件は、アセトアルデヒド（初期ガス濃度：約２０ppm）、温度条件（室温）、測定時間（０分、１０分、３０分、１時間、３時間、６時間、ただし、測定値が定量下限（１ppm）未満になった時点で終了）である。
【０２５０】
図５６に示すように、経過時間０分において第１〜第３測定ではアセトアルデヒドガスの濃度が２０ppmであったが、１時間経過後において第１測定ではアセトアルデヒドガスの濃度が９ppmに低下し、３時間経過後において第１測定ではアセトアルデヒドガスの濃度が８ppmに低下し、６時間経過後において第１測定ではアセトアルデヒドガスの濃度が６ppmに低下した。第１測定では、６時間経過後にアンモニアガスの濃度が初期ガス濃度の約１／３に減少したのに比較し、第２および第３測定では、アンモニアガスの濃度の変化は見られなかった。
【０２５１】
図５６から明らかなように、脱臭具１０Ａ〜１０Ｐを設置した扇風機２５では、アセトアルデヒドガスの濃度を確実に低減させることができ、アセトアルデヒド臭（刺激的な青ぐさい臭い）を有効に除去する効果があることが分かった。したがって、扇風機用脱臭具１０Ａ〜１０Ｐは、それらを扇風機２５に設置することで、空気に含まれるアセトアルデヒド臭を確実に除去することができる。
【符号の説明】
【０２５２】
１０Ａ  脱臭具
１０Ｂ  脱臭具
１０Ｃ  脱臭具
１０Ｄ  脱臭具
１０Ｅ  脱臭具
１０Ｆ  脱臭具
１０Ｇ  脱臭具
１０Ｈ  脱臭具
１０Ｉ  脱臭具
１０Ｊ  脱臭具
１０Ｋ  脱臭具
１０Ｌ  脱臭具
１０Ｍ  脱臭具
１０Ｎ  脱臭具
１０Ｏ  脱臭具
１０Ｐ  脱臭具
１１    軟質ポリウレタンフォーム
１２    壁面
１３    前面
１４    後面
１５    内周縁部
１６    外周縁部
１７    中央開口
１８    通気路
１９    通気口
２０    通気性シート
２１    通気性ネット
２２    二分線
２３    内側領域
２４    外側領域
２５    扇風機
２６    前ガード
２７    クリップ
２８    後ガード
２９    羽根
３０    モーターシャフト
３１    スピンナー
３２    ガード締付ナット
３３    モーターケース
３４    螺子パイプ
３５    内周部
３６    ガードリング
３７    ガードリング
３８    二分線
３９    径方向先端部
４０    支持フレーム
４１    内周枠
４２    外周枠
４３    連結枠
４４    第１外周枠
４５    第２外周枠
４６    第３外周枠
４７    支持フレーム
４８    内周枠
４９    外周枠
５０    連結枠
５１    第１内周枠
５２    第２内周枠
５３    第３内周枠
５４    第1外周枠
５５    第２外周枠
５６    第３外周枠
５７    支持フレーム
５８    第１支持フレーム
５９    第２支持フレーム
６０    内周枠
６１    外周枠
６２    連結枠
６３    支持フレーム
６４    内周枠
６５    外周枠
６６    連結枠
６７    支持フレーム
６８    第１支持フレーム
６９    第２支持フレーム
７０    内周枠
７１    外周枠
７２    連結枠
７３    第１内周枠
７４    第２内周枠
７５    第１外周枠
７６    第２外周枠
７７    第１内周枠
７８    第２内周枠
７９    第１外周枠
８０    第２外周枠
【図１】
2015109935.tif 000003
【図２】
2015109935.tif 000004
【図３】
2015109935.tif 000005
【図４】
2015109935.tif 000006
【図５】
2015109935.tif 000007
【図６】
2015109935.tif 000008
【図７】
2015109935.tif 000009
【図８】
2015109935.tif 000010
【図９】
2015109935.tif 000011
【図１０】
2015109935.tif 000012
【図１１】
2015109935.tif 000013
【図１２】
2015109935.tif 000014
【図１３】
2015109935.tif 000015
【図１４】
2015109935.tif 000016
【図１５】
2015109935.tif 000017
【図１６】
2015109935.tif 000018
【図１７】
2015109935.tif 000019
【図１８】
2015109935.tif 000020
【図１９】
2015109935.tif 000021
【図２０】
2015109935.tif 000022
【図２１】
2015109935.tif 000023
【図２２】
2015109935.tif 000024
【図２３】
2015109935.tif 000025
【図２４】
2015109935.tif 000026
【図２５】
2015109935.tif 000027
【図２６】
2015109935.tif 000028
【図２７】
2015109935.tif 000029
【図２８】
2015109935.tif 000030
【図２９】
2015109935.tif 000031
【図３０】
2015109935.tif 000032
【図３１】
2015109935.tif 000033
【図３２】
2015109935.tif 000034
【図３３】
2015109935.tif 000035
【図３４】
2015109935.tif 000036
【図３５】
2015109935.tif 000037
【図３６】
2015109935.tif 000038
【図３７】
2015109935.tif 000039
【図３８】
2015109935.tif 000040
【図３９】
2015109935.tif 000041
【図４０】
2015109935.tif 000042
【図４１】
2015109935.tif 000043
【図４２】
2015109935.tif 000044
【図４３】
2015109935.tif 000045
【図４４】
2015109935.tif 000046
【図４５】
2015109935.tif 000047
【図４６】
2015109935.tif 000048
【図４７】
2015109935.tif 000049
【図４８】
2015109935.tif 000050
【図４９】
2015109935.tif 000051
【図５０】
2015109935.tif 000052
【図５１】
2015109935.tif 000053
【図５２】
2015109935.tif 000054
【図５３】
2015109935.tif 000055
【図５４】
2015109935.tif 000056
【図５５】
2015109935.tif 000057
【図５６】
2015109935.tif 000058